(57)【要約】  本願の実施例は、５Ｇシステムにおいて繰り返し伝送される下りチャネルのフィードバック応答を実現する無線通信方法及びデバイスを提供する。該方法は、端末が第１の時間ユニットにおいてフィードバック情報を送信することを含み、ここで、前記フィードバック情報が目標リソースセットに伝送される第１の下りチャネルに対応するフィードバック応答情報を含み、前記目標リソースセットに含まれるリソースユニットが同じキャリアに属し、前記第１の下りチャネルが前記目標リソースセット内の複数のリソースユニットを占用して繰り返し伝送する。
2021517381.tif 000002
【特許請求の範囲】
【請求項１】
端末が第１の時間ユニットにおいてフィードバック情報を送信することを含み、
前記フィードバック情報が目標リソースセットに伝送される第１の下りチャネルに対応するフィードバック応答情報を含み、前記目標リソースセットに含まれるリソースユニットが同じキャリアに属し、前記第１の下りチャネルが前記目標リソースセット内の複数のリソースユニットを占用して繰り返し伝送する
ことを特徴とする無線通信方法。
【請求項２】
前記目標リソースセットは、上位層パラメータによって決定される
ことを特徴とする請求項１に記載の無線通信方法。
【請求項３】
前記目標リソースセット内の各リソースユニットは、下りチャネルを伝送するように構成される
ことを特徴とする請求項１に記載の無線通信方法。
【請求項４】
前記端末が第１の時間ユニットにおいてフィードバック情報を送信する前に、前記方法は、
前記端末が前記フィードバック情報のビット数を決定することを含む
ことを特徴とする請求項１に記載の無線通信方法。
【請求項５】
前記フィードバック情報のビット数は、前記目標リソースセット内のリソースユニット数によって決定する
ことを特徴とする請求項１〜４のいずれか１項に記載の無線通信方法。
【請求項６】
前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい
ことを特徴とする請求項１〜５のいずれか１項に記載の無線通信方法。
【請求項７】
前記第１の下りチャネルがＬ個のリソースユニットを占用して繰り返し伝送し、前記第１の下りチャネルに対応するフィードバック応答情報は、前記フィードバック情報においてＬ個のビットグループを占用し、
前記ビットグループに含まれるビット数は、前記第１のパラメータの値又は１に等しい
ことを特徴とする請求項６に記載の無線通信方法。
【請求項８】
前記Ｌ個のビットグループの情報は同じである
ことを特徴とする請求項７に記載の無線通信方法。
【請求項９】
前記Ｌ個のビットグループの前記フィードバック情報に含まれるビットグループ内の順序付けは、前記Ｌ個のリソースユニットの前記目標リソースセット内の順序付けに等しい
ことを特徴とする請求項７に記載の無線通信方法。
【請求項１０】
前記第１の下りチャネルがＬ個のリソースユニットを占用して繰り返し伝送し、前記第１の下りチャネルに対応するフィードバック応答情報が前記フィードバック情報において１個のビットグループを占用し、
前記ビットグループに含まれるビット数は、前記第１のパラメータの値又は１に等しい
ことを特徴とする請求項６に記載の無線通信方法。
【請求項１１】
前記１個のビットグループの前記フィードバック情報に含まれるビットグループ内の順序付けは、前記Ｌ個のリソースユニットのうちの１個のリソースユニットの前記目標リソースセットの順序付けに等しい
ことを特徴とする請求項１０に記載の無線通信方法。
【請求項１２】
前記フィードバック情報のビット数は、前記目標リソースセット内のリソースユニット数と第１のパラメータとの積をＬで割って切り上げ又は切り捨てたものであり、又は、
前記フィードバック情報のビット数は、前記目標リソースセット内のリソースユニット数をＬで割って切り上げ又は切り捨てたものであり、
前記端末が受信した各下りチャネルは、前記目標リソースセット内のＬ個のリソースユニットを占用して繰り返し伝送する
ことを特徴とする請求項１〜５のいずれか１項に記載の無線通信方法。
【請求項１３】
前記第１の下りチャネルに対応するフィードバック応答情報が前記フィードバック情報において１個のビットグループを占用し、
前記ビットグループに含まれるビット数は、前記第１のパラメータの値又は１である
ことを特徴とする請求項１２に記載の無線通信方法。
【請求項１４】
前記１個のビットグループの前記フィードバック情報に含まれるビットグループ内の順序付けは、
ＫをＬが切り捨てたもので割ったものに等しく、又は、
ＰをＬが切り上げたもので割ったものに等しく、
前記Ｋは、前記第１の下りチャネルが占用する１番目のリソースユニットの前記目標リソースセット内の番号に等しく、Ｋが正の整数であり、
前記Ｐは、前記第１の下りチャネルが占用する最後のリソースユニットの前記目標リソースセットの番号に等しく、Ｐが正の整数である
ことを特徴とする請求項１３に記載の無線通信方法。
【請求項１５】
前記第１のパラメータがネットワークにより構成され、又は、
前記第１のパラメータが伝送ブロックの最大数であり、又は、
前記第１のパラメータが符号化ブロックグループの最大数である
ことを特徴とする請求項６又は１２に記載の無線通信方法。
【請求項１６】
前記目標リソースセット内の各リソースユニットが前記フィードバック情報においてビットグループに対応する
ことを特徴とする請求項１〜１５のいずれか１項に記載の無線通信方法。
【請求項１７】
ネットワークデバイスが第１の時間ユニットにおいてフィードバック情報を受信することを含み、
前記フィードバック情報が目標リソースセットに伝送される第１の下りチャネルに対応するフィードバック応答情報を含み、前記複数のリソースユニットが同じキャリアに属し、前記第１の下りチャネルが前記目標リソースセット内の複数のリソースユニットを占用して繰り返し伝送する
ことを特徴とする無線通信方法。
【請求項１８】
前記方法は、さらに、
前記ネットワークデバイスが、端末デバイスが前記目標リソースセットを決定するための上位層パラメータを送信することを含む
ことを特徴とする請求項１７に記載の無線通信方法。
【請求項１９】
前記目標リソースセット内の各リソースユニットは、下りチャネルを伝送するように構成される
ことを特徴とする請求項１７に記載の無線通信方法。
【請求項２０】
前記目標リソースセット内のリソースユニット数が前記フィードバック情報のビット数に関連する
ことを特徴とする請求項１７に記載の無線通信方法。
【請求項２１】
前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい
ことを特徴とする請求項２０に記載の無線通信方法。
【請求項２２】
前記第１の下りチャネルがＬ個のリソースユニットを占用して繰り返し伝送し、前記第１の下りチャネルに対応するフィードバック応答情報は、前記フィードバック情報においてＬ個のビットグループを占用し、
前記ビットグループに含まれるビット数は、前記第１のパラメータの値又は１に等しい
ことを特徴とする請求項２１に記載の無線通信方法。
【請求項２３】
前記Ｌ個のビットグループの情報は同じである
ことを特徴とする請求項２２に記載の無線通信方法。
【請求項２４】
前記Ｌ個のビットグループの前記フィードバック情報に含まれるビットグループ内の順序付けは、前記Ｌ個のリソースユニットの前記目標リソースセット内の順序付けに等しい
ことを特徴とする請求項２２に記載の無線通信方法。
【請求項２５】
前記第１の下りチャネルがＬ個のリソースユニットを占用して繰り返し伝送し、前記第１の下りチャネルに対応するフィードバック応答情報が前記フィードバック情報において１個のビットグループを占用し、
前記ビットグループに含まれるビット数は、前記第１のパラメータの値又は１に等しい
ことを特徴とする請求項２１に記載の無線通信方法。
【請求項２６】
前記１個のビットグループの前記フィードバック情報に含まれるビットグループ内の順序付けは、前記Ｌ個のリソースユニットのうちの１個のリソースユニットの前記目標リソースセットの順序付けに等しい
ことを特徴とする請求項２５に記載の無線通信方法。
【請求項２７】
前記フィードバック情報のビット数は、前記目標リソースセット内のリソースユニット数と第１のパラメータとの積をＬで割って切り上げ又は切り捨てたものであり、又は、
前記端末は、前記フィードバック情報のビット数が前記目標リソースセット内のリソースユニット数をＬで割って切り上げ又は切り捨てたものであると決定し、
各下りチャネルが前記目標リソースセット内のＬ個のリソースユニットを占用して繰り返し伝送する
ことを特徴とする請求項２０に記載の無線通信方法。
【請求項２８】
前記第１の下りチャネルに対応するフィードバック応答情報が前記フィードバック情報において１個のビットグループを占用し、
前記ビットグループに含まれるビット数は、前記第１のパラメータの値又は１である
ことを特徴とする請求項２７に記載の無線通信方法。
【請求項２９】
前記１個のビットグループの前記フィードバック情報に含まれるビットグループ内の順序付けは、
ＫをＬが切り捨てたもので割ったものに等しく、又は、
ＰをＬが切り上げたもので割ったものに等しく、
前記Ｋは、前記第１の下りチャネルが占用する１番目のリソースユニットの前記目標リソースセット内の番号に等しく、Ｋが正の整数であり、
前記Ｐは、前記第１の下りチャネルが占用する最後のリソースユニットの前記目標リソースセットの番号に等しく、Ｐが正の整数である
ことを特徴とする請求項２８に記載の無線通信方法。
【請求項３０】
前記方法は、さらに、  
前記端末デバイスに前記第１のパラメータを構成し、又は、
前記第１のパラメータが伝送ブロックの最大数であり、又は、
前記第１のパラメータが符号化ブロックグループの最大数であることを含む
ことを特徴とする請求項２１又は２７に記載の無線通信方法。
【請求項３１】
前記目標リソースセット内の各リソースユニットが前記フィードバック情報においてビットグループに対応する
ことを特徴とする請求項１７〜３０のいずれか１項に記載の無線通信方法。
【請求項３２】
送信ユニットを備える端末であって、
前記送信ユニットは、第１の時間ユニットにおいてフィードバック情報を送信するように構成され、
前記フィードバック情報が目標リソースセットに伝送される第１の下りチャネルに対応するフィードバック応答情報を含み、前記目標リソースセットに含まれるリソースユニットが同じキャリアに属し、前記第１の下りチャネルが前記目標リソースセット内の複数のリソースユニットを占用して繰り返し伝送する
ことを特徴とする端末。
【請求項３３】
前記目標リソースセットは、上位層パラメータによって決定される
ことを特徴とする請求項３２に記載の端末。
【請求項３４】
前記目標リソースセット内の各リソースユニットは、下りチャネルを伝送するように構成される
ことを特徴とする請求項３２に記載の端末。
【請求項３５】
処理ユニットをさらに含み、
前記処理ユニットは、前記フィードバック情報のビット数を決定するように構成される
ことを特徴とする請求項３２に記載の端末。
【請求項３６】
前記フィードバック情報のビット数は、前記目標リソースセット内のリソースユニット数によって決定する
ことを特徴とする請求項３２〜３５のいずれか１項に記載の端末。
【請求項３７】
前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい
ことを特徴とする請求項３２〜３６のいずれか１項に記載の端末。
【請求項３８】
前記第１の下りチャネルがＬ個のリソースユニットを占用して繰り返し伝送し、前記第１の下りチャネルに対応するフィードバック応答情報は、前記フィードバック情報においてＬ個のビットグループを占用し、
前記ビットグループに含まれるビット数は、前記第１のパラメータの値又は１に等しい
ことを特徴とする請求項３７に記載の端末。
【請求項３９】
前記Ｌ個のビットグループの情報は同じである
ことを特徴とする請求項３８に記載の端末。
【請求項４０】
前記Ｌ個のビットグループの前記フィードバック情報に含まれるビットグループ内の順序付けは、前記Ｌ個のリソースユニットの前記目標リソースセット内の順序付けに等しい
ことを特徴とする請求項３８に記載の端末。
【請求項４１】
前記第１の下りチャネルがＬ個のリソースユニットを占用して繰り返し伝送し、前記第１の下りチャネルに対応するフィードバック応答情報が前記フィードバック情報において１個のビットグループを占用し、
前記ビットグループに含まれるビット数は、前記第１のパラメータの値又は１に等しい
ことを特徴とする請求項３７に記載の端末。
【請求項４２】
前記１個のビットグループの前記フィードバック情報に含まれるビットグループ内の順序付けは、前記Ｌ個のリソースユニットのうちの１個のリソースユニットの前記目標リソースセットの順序付けに等しい
ことを特徴とする請求項４１に記載の端末。
【請求項４３】
前記フィードバック情報のビット数は、前記目標リソースセット内のリソースユニット数と第１のパラメータとの積をＬで割って切り上げ又は切り捨てたものであり、又は、
前記フィードバック情報のビット数は、前記目標リソースセット内のリソースユニット数をＬで割って切り上げ又は切り捨てたものであり、
前記端末が受信した各下りチャネルは、前記目標リソースセット内のＬ個のリソースユニットを占用して繰り返し伝送する
ことを特徴とする請求項３２〜３６のいずれか１項に記載の端末。
【請求項４４】
前記第１の下りチャネルに対応するフィードバック応答情報が前記フィードバック情報において１個のビットグループを占用し、
前記ビットグループに含まれるビット数は、前記第１のパラメータの値又は１である
ことを特徴とする請求項４３に記載の端末。
【請求項４５】
前記１個のビットグループの前記フィードバック情報に含まれるビットグループ内の順序付けは、
ＫをＬが切り捨てたもので割ったものに等しく、又は、
ＰをＬが切り上げたもので割ったものに等しく、
前記Ｋは、前記第１の下りチャネルが占用する１番目のリソースユニットの前記目標リソースセット内の番号に等しく、Ｋが正の整数であり、
前記Ｐは、前記第１の下りチャネルが占用する最後のリソースユニットの前記目標リソースセットの番号に等しく、Ｐが正の整数である
ことを特徴とする請求項４４に記載の端末。
【請求項４６】
前記第１のパラメータがネットワークにより構成され、又は、
前記第１のパラメータが伝送ブロックの最大数であり、又は、
前記第１のパラメータが符号化ブロックグループの最大数である
ことを特徴とする請求項３７又は４３に記載の端末。
【請求項４７】
前記目標リソースセット内の各リソースユニットが前記フィードバック情報においてビットグループに対応する
ことを特徴とする請求項３２〜４６のいずれか１項に記載の端末。
【請求項４８】
受信ユニットを備えるネットワークデバイスであって、
前記受信ユニットは、第１の時間ユニットにおいてフィードバック情報を受信するように構成され、
前記フィードバック情報が目標リソースセットに伝送される第１の下りチャネルに対応するフィードバック応答情報を含み、前記複数のリソースユニットが同じキャリアに属し、前記第１の下りチャネルが前記目標リソースセット内の複数のリソースユニットを占用して繰り返し伝送する
ことを特徴とするネットワークデバイス。
【請求項４９】
送信ユニットをさらに含み、
前記送信ユニットは、端末デバイスが前記目標リソースセットを決定するための上位層パラメータを送信するように構成される
ことを特徴とする請求項４８に記載のネットワークデバイス。
【請求項５０】
前記目標リソースセット内の各リソースユニットは、下りチャネルを伝送するように構成される
ことを特徴とする請求項４８に記載のネットワークデバイス。
【請求項５１】
前記目標リソースセット内のリソースユニット数が前記フィードバック情報のビット数に関連する
ことを特徴とする請求項４８に記載のネットワークデバイス。
【請求項５２】
前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい
ことを特徴とする請求項５１に記載のネットワークデバイス。
【請求項５３】
前記第１の下りチャネルがＬ個のリソースユニットを占用して繰り返し伝送し、前記第１の下りチャネルに対応するフィードバック応答情報は、前記フィードバック情報においてＬ個のビットグループを占用し、
前記ビットグループに含まれるビット数は、前記第１のパラメータの値又は１に等しい
ことを特徴とする請求項５２に記載のネットワークデバイス。
【請求項５４】
前記Ｌ個のビットグループの情報は同じである
ことを特徴とする請求項５３に記載のネットワークデバイス。
【請求項５５】
前記Ｌ個のビットグループの前記フィードバック情報に含まれるビットグループ内の順序付けは、前記Ｌ個のリソースユニットの前記目標リソースセット内の順序付けに等しい
ことを特徴とする請求項５３に記載のネットワークデバイス。
【請求項５６】
前記第１の下りチャネルがＬ個のリソースユニットを占用して繰り返し伝送し、前記第１の下りチャネルに対応するフィードバック応答情報が前記フィードバック情報において１個のビットグループを占用し、
前記ビットグループに含まれるビット数は、前記第１のパラメータの値又は１に等しい
ことを特徴とする請求項５２に記載のネットワークデバイス。
【請求項５７】
前記１個のビットグループの前記フィードバック情報に含まれるビットグループ内の順序付けは、前記Ｌ個のリソースユニットのうちの１個のリソースユニットの前記目標リソースセットの順序付けに等しい
ことを特徴とする請求項５６に記載のネットワークデバイス。
【請求項５８】
前記フィードバック情報のビット数は、前記目標リソースセット内のリソースユニット数と第１のパラメータとの積をＬで割って切り上げ又は切り捨てたものであり、又は、
前記端末は、前記フィードバック情報のビット数が前記目標リソースセット内のリソースユニット数をＬで割って切り上げ又は切り捨てたものであると決定し、
各下りチャネルが前記目標リソースセット内のＬ個のリソースユニットを占用して繰り返し伝送する
ことを特徴とする請求項５１に記載のネットワークデバイス。
【請求項５９】
前記第１の下りチャネルに対応するフィードバック応答情報が前記フィードバック情報において１個のビットグループを占用し、
前記ビットグループに含まれるビット数は、前記第１のパラメータの値又は１である
ことを特徴とする請求項５８に記載のネットワークデバイス。
【請求項６０】
前記１個のビットグループの前記フィードバック情報に含まれるビットグループ内の順序付けは、
ＫをＬが切り捨てたもので割ったものに等しく、又は、
ＰをＬが切り上げたもので割ったものに等しく、
前記Ｋは、前記第１の下りチャネルが占用する１番目のリソースユニットの前記目標リソースセット内の番号に等しく、Ｋが正の整数であり、
前記Ｐは、前記第１の下りチャネルが占用する最後のリソースユニットの前記目標リソースセットの番号に等しく、Ｐが正の整数である
ことを特徴とする請求項５９に記載のネットワークデバイス。
【請求項６１】
送信ユニット、さらに含み  
前記送信ユニットは、前記端末デバイスに前記第１のパラメータを構成し、又は、
前記第１のパラメータが伝送ブロックの最大数であり、又は、
前記第１のパラメータが符号化ブロックグループの最大数である
ことを特徴とする請求項５２又は５８に記載のネットワークデバイス。
【請求項６２】
前記目標リソースセット内の各リソースユニットが前記フィードバック情報においてビットグループに対応する
ことを特徴とする請求項４８〜６１のいずれか１項に記載のネットワークデバイス。
【発明の詳細な説明】
【技術分野】
【０００１】
本願は、通信分野に関し、具体的に、無線通信方法及びデバイスに関する。
【背景技術】
【０００２】
ロングタームエボリューション( Ｌｏｎｇ Ｔｅｒｍ Ｅｖｏｌｕｔｉｏｎ、ＬＴＥ )システムでは、端末は、１つの下りチャネル(例えば、物理下り共有チャネル( Ｐｈｙｓｉｃａｌ Ｄｏｗｎｌｉｎｋ Ｓｈａｒｅｄ Ｃｈａｎｎｅｌ、ＰＤＳＣＨ ） )を受信した後、その１つの下りチャネルに対してフィードバック応答情報を送信することができる。
【０００３】
新しいラジオ( Ｎｅｗ Ｒａｄｉｏ、ＮＲ )システムにおいて、下りチャネルのフィードバック応答情報をどのように伝送するかは、解決すべき課題である。
【発明の概要】
【０００４】
本発明は、５Ｇシステムにおいて繰り返し伝送する下りチャネルのフィードバック応答を実現する無線通信方法及びデバイスを提供する。
【０００５】
第１の態様は、無線通信方法を提供し、
端末が第１の時間ユニットにおいてフィードバック情報を送信することを含み、
ここで、前記フィードバック情報が目標リソースセットに伝送される第１の下りチャネルに対応するフィードバック応答情報を含み、前記目標リソースセットに含まれるリソースユニットが同じキャリアに属し、前記第１の下りチャネルが前記目標リソースセット内の複数のリソースユニットを占用して繰り返し伝送する。
【０００６】
第１の態様と結合し、第１の態様の可能な方式において、前記目標リソースセットは、上位層パラメータによって決定される。
【０００７】
第１の態様又は上記の実現可能な方式と結合し、第１の態様の他の実現可能な方式において、前記目標リソースセット内の各リソースユニットは、下りチャネルを伝送するように構成される。
【０００８】
第１の態様又は上記の実現可能な方式と結合し、第１の態様の他の実現可能な方式において、前記端末が第１の時間ユニットにおいてフィードバック情報を送信する前に、前記方法は、
前記端末が前記フィードバック情報のビット数を決定することを含む。
【０００９】
第１の態様又は上記の実現可能な方式と結合し、第１の態様の他の実現可能な方式において、前記フィードバック情報のビット数は、前記目標リソースセット内のリソースユニット数によって決定する。
【００１０】
第１の態様又は上記の実現可能な方式と結合し、第１の態様の他の実現可能な方式において、前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい。
【００１１】
第１の態様又は上記の実現可能な方式と結合し、第１の態様の他の実現可能な方式において、前記第１の下りチャネルがＬ個のリソースユニットを占用して繰り返し伝送し、前記第１の下りチャネルに対応するフィードバック応答情報は、前記フィードバック情報においてＬ個のビットグループを占用し、
ここで、前記ビットグループに含まれるビット数は、前記第１のパラメータの値又は１に等しい。
【００１２】
第１の態様又は上記の実現可能な方式と結合し、第１の態様の他の実現可能な方式において、前記Ｌ個のビットグループの情報は同じである。
【００１３】
第１の態様又は上記の実現可能な方式と結合し、第１の態様の他の実現可能な方式において、前記Ｌ個のビットグループの前記フィードバック情報に含まれるビットグループ内の順序付けは、前記Ｌ個のリソースユニットの前記目標リソースセット内の順序付けに等しい。
【００１４】
第１の態様又は上記の実現可能な方式と結合し、第１の態様の他の実現可能な方式において、前記第１の下りチャネルがＬ個のリソースユニットを占用して繰り返し伝送し、前記第１の下りチャネルに対応するフィードバック応答情報が前記フィードバック情報において１個のビットグループを占用し、
ここで、前記ビットグループに含まれるビット数は、前記第１のパラメータの値又は１に等しい。
【００１５】
第１の態様又は上記の実現可能な方式と結合し、第１の態様の他の実現可能な方式において、前記１個のビットグループの前記フィードバック情報に含まれるビットグループ内の順序付けは、前記Ｌ個のリソースユニットのうちの１個のリソースユニットの前記目標リソースセットの順序付けに等しい。
【００１６】
第１の態様又は上記の実現可能な方式と結合し、第１の態様の他の実現可能な方式において、前記フィードバック情報のビット数は、前記目標リソースセット内のリソースユニット数と第１のパラメータとの積をＬで割って切り上げ又は切り捨てたものであり、又は、
前記フィードバック情報のビット数は、前記目標リソースセット内のリソースユニット数をＬで割って切り上げ又は切り捨てたものであり、
ここで、前記端末が受信した各下りチャネルは、前記目標リソースセット内のＬ個のリソースユニットを占用して繰り返し伝送する。
【００１７】
第１の態様又は上記の実現可能な方式と結合し、第１の態様の他の実現可能な方式において、前記第１の下りチャネルに対応するフィードバック応答情報が前記フィードバック情報において１個のビットグループを占用し、
ここで、前記ビットグループに含まれるビット数は、前記第１のパラメータの値又は１である。
【００１８】
第１の態様又は上記の実現可能な方式と結合し、第１の態様の他の実現可能な方式において、前記１個のビットグループの前記フィードバック情報に含まれるビットグループ内の順序付けは、
ＫをＬが切り捨てたもので割ったものに等しく、又は、
ＰをＬが切り上げたもので割ったものに等しく、
ここで、前記Ｋは、前記第１の下りチャネルが占用する１番目のリソースユニットの前記目標リソースセット内の番号に等しく、Ｋが正の整数であり、
ここで、前記Ｐは、前記第１の下りチャネルが占用する最後のリソースユニットの前記目標リソースセットの番号に等しく、Ｐが正の整数である。
【００１９】
第１の態様又は上記の実現可能な方式と結合し、第１の態様の他の実現可能な方式において、前記第１のパラメータがネットワークにより構成され、又は、
前記第１のパラメータが伝送ブロックの最大数であり、又は、
前記第１のパラメータが符号化ブロックグループの最大数である。
【００２０】
第１の態様又は上記の実現可能な方式と結合し、第１の態様の他の実現可能な方式において、前記目標リソースセット内の各リソースユニットが前記フィードバック情報においてビットグループに対応する。
【００２１】
第２の態様は、無線通信方法を提供し、
ネットワークデバイスが第１の時間ユニットにおいてフィードバック情報を受信することを含み、
ここで、前記フィードバック情報が目標リソースセットに伝送される第１の下りチャネルに対応するフィードバック応答情報を含み、前記複数のリソースユニットが同じキャリアに属し、前記第１の下りチャネルが前記目標リソースセット内の複数のリソースユニットを占用して繰り返し伝送する。
【００２２】
第２の態様と結合し、第２の態様の実現可能な方式において、前記方法は、さらに、
前記ネットワークデバイスが端末デバイスが前記目標リソースセットを決定するための上位層パラメータを送信することを含む。
【００２３】
第２の態様又は上記の実現可能な方式と結合し、第２の態様の他の実現可能な方式において、前記目標リソースセット内の各リソースユニットは、下りチャネルを伝送するように構成される。
【００２４】
第２の態様又は上記の実現可能な方式と結合し、第２の態様の他の実現可能な方式において、前記目標リソースセット内のリソースユニット数が前記フィードバック情報のビット数に関連する。
【００２５】
第２の態様又は上記の実現可能な方式と結合し、第２の態様の他の実現可能な方式において、前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい。
【００２６】
第２の態様又は上記の実現可能な方式と結合し、第２の態様の他の実現可能な方式において、前記第１の下りチャネルがＬ個のリソースユニットを占用して繰り返し伝送し、前記第１の下りチャネルに対応するフィードバック応答情報は、前記フィードバック情報においてＬ個のビットグループを占用し、
ここで、前記ビットグループに含まれるビット数は、前記第１のパラメータの値又は１に等しい。
【００２７】
第２の態様又は上記の実現可能な方式と結合し、第２の態様の他の実現可能な方式において、前記Ｌ個のビットグループの情報は同じである。
【００２８】
第２の態様又は上記の実現可能な方式と結合し、第２の態様の他の実現可能な方式において、前記Ｌ個のビットグループの前記フィードバック情報に含まれるビットグループ内の順序付けは、前記Ｌ個のリソースユニットの前記目標リソースセット内の順序付けに等しい。
【００２９】
第２の態様又は上記の実現可能な方式と結合し、第２の態様の他の実現可能な方式において、前記第１の下りチャネルがＬ個のリソースユニットを占用して繰り返し伝送し、前記第１の下りチャネルに対応するフィードバック応答情報が前記フィードバック情報において１個のビットグループを占用し、
ここで、前記ビットグループに含まれるビット数は、前記第１のパラメータの値又は１に等しい。
【００３０】
第２の態様又は上記の実現可能な方式と結合し、第２の態様の他の実現可能な方式において、前記１個のビットグループの前記フィードバック情報に含まれるビットグループ内の順序付けは、前記Ｌ個のリソースユニットのうちの１個のリソースユニットの前記目標リソースセットの順序付けに等しい。
【００３１】
第２の態様又は上記の実現可能な方式と結合し、第２の態様の他の実現可能な方式において、前記フィードバック情報のビット数は、前記目標リソースセット内のリソースユニット数と第１のパラメータとの積をＬで割って切り上げ又は切り捨てたものであり、又は、
前記端末は、前記フィードバック情報のビット数が前記目標リソースセット内のリソースユニット数をＬで割って切り上げ又は切り捨てたものであると決定し、
ここで、各下りチャネルが前記目標リソースセット内のＬ個のリソースユニットを占用して繰り返し伝送する。
【００３２】
第２の態様又は上記の実現可能な方式と結合し、第２の態様の他の実現可能な方式において、前記第１の下りチャネルに対応するフィードバック応答情報が前記フィードバック情報において１個のビットグループを占用し、
ここで、前記ビットグループに含まれるビット数は、前記第１のパラメータの値又は１である。
【００３３】
第２の態様又は上記の実現可能な方式と結合し、第２の態様の他の実現可能な方式において、前記１個のビットグループの前記フィードバック情報に含まれるビットグループ内の順序付けは、
ＫをＬが切り捨てたもので割ったものに等しい、ここで、前記Ｋは、前記第１の下りチャネルが占用する１番目のリソースユニットの前記目標リソースセット内の番号に等しく、Ｋが正の整数であり、又は、
ＰをＬが切り上げたもので割ったものに等しく、ここで、前記Ｐは、前記第１の下りチャネルが占用する最後のリソースユニットの前記目標リソースセットの番号に等しく、Ｐが正の整数である。
【００３４】
第２の態様又は上記の実現可能な方式と結合し、第２の態様の他の実現可能な方式において、前記方法は、さらに、 
前記端末デバイスに前記第１のパラメータを構成し、又は、
前記第１のパラメータが伝送ブロックの最大数であり、又は、
前記第１のパラメータが符号化ブロックグループの最大数であることを含む。
【００３５】
第２の態様又は上記の実現可能な方式と結合し、第２の態様の他の実現可能な方式において、前記目標リソースセット内の各リソースユニットが前記フィードバック情報においてビットグループに対応する。
【００３６】
第３の態様は、上記の第１の態様又は第１の態様の任意の可能な実装における方法を実行するように構成された端末を提供する。具体的には、端末は、上記の第１の態様又は第１の態様の任意の可能な実装形態における方法を実行するように構成された機能モジュールを含む。
【００３７】
第４の態様は、上記の第２の態様又は第２の態様の任意の可能な実装における方法を実行するように構成されたネットワークデバイスを提供する。具体的には、ネットワークデバイスは、上記の第２の態様又は第２の態様の任意の可能な実装形態における方法を実行するように構成された機能モジュールを含む。
【００３８】
第５の態様は、プロセッサと、メモリと、送受信機とを含む端末を提供する。プロセッサ、メモリ、および送受信機は、内部接続経路を介して互いに通信し、制御信号および/又はデータ信号を通信し、端末は、上記の第１の態様又は第１の態様の可能な実装のいずれかの方法を実行する。 
第６の態様は、プロセッサと、メモリと、送受信機とを含むネットワークデバイスが提供される。プロセッサ、メモリ、および送受信機は、内部接続経路を介して互いに通信し、制御信号および/又はデータ信号を通信し、ネットワークデバイスに、上記の第２の態様又は第２の態様の可能な実装のいずれかにおける方法を実行させる。 
第７の態様は、上述の方法又は任意の可能な実装を実行するための命令を含むコンピュータプログラムを記憶するように構成されたコンピュータ可読媒体を提供する。
【００３９】
第８の態様は、命令を含むコンピュータプログラム製品を提供し、コンピュータプログラム製品は、コンピュータ上で実行されると、コンピュータに、上述の方法又は任意の可能な実装の方法を実行させる。
【００４０】
このように、本願の実施例では、端末デバイスが送信するフィードバック情報は、複数のリソースユニットで繰り返し伝送される下りチャネルのフィードバック応答情報を含むことができ、５Ｇシステムで繰り返し伝送される下りチャネルのフィードバック応答を実現することができる。
【図面の簡単な説明】
【００４１】
本発明の実施例の技術案をより明確に説明するために、実施例又は従来技術の説明に必要な図面を簡単に説明すると、以下の説明における図面は本発明の実施例に過ぎず、当業者であれば、創造的な労力を要することなく、これらの図面に基づいて他の図面を得ることができることは明らかである。
【図１】本願の実施例における無線通信システムの模式図である。
【図２】本願の実施例における無線通信方法のフローチャートである。
【図３】本願の実施例における目標リソースセットにＰＤＳＣＨが搬送される模式図である。
【図４】本願の実施例における目標リソースセットにＰＤＳＣＨが搬送される模式図である。
【図５】本願の実施例における目標リソースセットにＰＤＳＣＨが搬送される模式図である。
【図６】本願の実施例における端末のブロック図である。
【図７】本願の実施例におけるネットワークデバイスのブロック図である。
【図８】本願の実施例におけるシステムチップのブロック図である。
【図９】本願の実施例における通信デバイスのブロック図である。
【発明を実施するための形態】
【００４２】
以下、本発明の実施の形態について図面を参照して説明するが、本発明は、この実施の形態に限定されるものではなく、本発明の技術的思想に基づく各種の変形が可能である。本出願における実施形態に基づいて、当業者が創造的な労働をすることなく得られる全ての他の実施形態は、本願の保護範囲に属する。
【００４３】
本願の実施例の技術は、様々な通信システムに適用可能であり、例えば、Ｇｌｏｂａｌ Ｓｙｓｔｅｍ ｏｆ Ｍｏｂｉｌｅ Ｃｏｍｍｕｎｉｃａｔｉｏｎ ( ＧＳＭ )システム、Ｃｏｄｅ Ｄｉｖｉｓｉｏｎ Ｍｕｌｔｉｐｌｅ Ａｃｃｅｓｓ ( ＣＤＭＡ )システム、Ｗｉｄｅｂａｎｄ Ｃｏｄｅ Ｄｉｖｉｓｉｏｎ Ｍｕｌｔｉｐｌｅ Ａｃｃｅｓｓ ( ＷＣＤＭＡ )システム、Ｇｅｎｅｒａｌ Ｐａｃｋｅｔ Ｒａｄｉｏ Ｓｅｒｖｉｃｅ ( ＧＰＲＳ )システム、Ｌｏｎｇ Ｔｅｒｍ Ｅｖｏｌｕｔｉｏｎ ( ＬＴＥ )システム、Ｆｒｅｑｕｅｎｃｙ Ｄｉｖｉｓｉｏｎ Ｄｕｐｌｅｘ （ ＦＤＤ )システム、Ｔｉｍｅ  Ｄｉｖｉｓｉｏｎ  Ｄｕｐｌｅｘ ( ＴＤＤ )システム、Ｕｎｉｖｅｒｓａｌ Ｍｏｂｉｌｅ Ｔｅｌｅｃｏｍｍｕｎｉｃａｔｉｏｎ Ｓｙｓｔｅｍ ( ＵＭＴＳ )、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ ( ＷｉＭＡＸ )システム、将来の５Ｇシステム等の移動通信システム等に適用することができる。
【００４４】
図１は、本願の実施例が適用される無線通信システム１００を示す。この無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＧＳＭシステム又はＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、又はクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、又は中継局、アクセスポイント、車載装置、ウェアラブル装置、将来の５Ｇネットワークにおけるネットワーク側装置、又は将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００４５】
この無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、又はユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、又はワイヤレスモデムに接続された他の処理デバイス、車載デバイス、ウェアラブルデバイス、将来の５Ｇネットワークにおける端末デバイス、又は将来開発されるＰＬＭＮにおける端末デバイスなどであり得る。
【００４６】
任意選択で、端末デバイス１２０間の端末直接接続( Ｄｅｖｉｃｅ ｔｏ Ｄｅｖｉｃｅ、Ｄ２Ｄ )通信が行われてもよい。
【００４７】
任意選択で、５Ｇシステム又はネットワークは、新たなラジオ( Ｎｅｗ Ｒａｄｉｏ、ＮＲ )システム又はネットワークと呼ばれることもある。
【００４８】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施形態は、これに限定されない。
【００４９】
任意選択で、無線通信システム１００は、ネットワークコントローラ、モビリティ管理エンティティなどの他のネットワークエンティティをさらに含むことができ、本願の実施例はこれに限定されない。
【００５０】
なお、本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「又は」の関係であることを一般的に示す。
【００５１】
図２は、本発明の実施例における無線通信方法２００の概略的なフローチャートである。方法２００は、任意選択で、図１に示されるシステムに適用され得るが、これに限定されない。図２に示されるように、方法２００は、以下の少なくとも一部を含む。
【００５２】
２１０において、端末デバイスが第１の時間ユニットにおいてフィードバック情報を送信する。
【００５３】
ここで、該フィードバック情報は、目標リソースセットに伝送される第１の下りチャネルに対応するフィードバック応答情報を含み、該目標リソースセットのリソースユニットが同じキャリアに属し、該第１の下りチャネルが複数のリソースユニットを占用して繰り返し伝送する。
【００５４】
任意選択で、該第１の時間ユニットは、タイムスロット、ミニタイムスロット、又はシンボルなどであっても良い。
【００５５】
任意選択で、時間領域において該目標リソースセット内のリソースユニットによって占有されるリソースサイズは、同じであってもよい。
【００５６】
任意選択で、該目標リソースセットの各リソースユニットは、時間領域において１つ又は複数のスロット、又は１つのスロット内の１つ又は複数のシンボルを占有しても良い。
【００５７】
任意選択で、該目標リソースセットは、複数の下りチャネルを伝送することができ、各下りチャネルは、少なくとも１つのリソースユニットを占有し得る。ここで、該複数の下りチャネルが占用するリソースユニットの数は異なってもよい。
【００５８】
目標リソースセットに複数の下りチャネルが伝送される場合、該フィードバック情報は、複数の下りチャネルのフィードバック情報を搬送することができる。
【００５９】
任意選択で、NRシステムにおいてＡＣＫ／ＮＡＣＫ多重伝送がサポートされ、すなわち、複数のＰＤＳＣＨに対応するＡＣＫ／ＮＡＣＫ情報が１つのＰＵＣＣＨで伝送される。ＡＣＫ／ＮＡＣＫ多重伝送では、さらに、半静的にＡＣＫ／ＮＡＣＫビット数を決定する( ｓｅｍｉ−ｓｔａｔｉｃ ＨＡＲＱ−ＡＣＫ ｃｏｄｅｂｏｏｋ )と、動的にＡＣＫ／ＮＡＣＫビット数を決定する( ｄｙｎａｍｉｃ ＨＡＲＱ−ＡＣＫ ｃｏｄｅｂｏｏｋ )という２種類のＡＣＫ／ＮＡＣＫ情報生成方式がサポートされる。端末は、ＡＣＫ／ＮＡＣＫビット数を半静的に決定するように構成される場合、サポートされる事前構成セットの最大値及び最小値に基づいてＡＣＫ／ＮＡＣＫビット数を決定する。例えば、シングルキャリア、シングルコードワード伝送の場合、事前構成セットが{ １，２，３，４，５，６，７，８ }である場合、ＡＣＫ／ＮＡＣＫビット数は８-１ ＝ ８ビットである。
【００６０】
任意選択で、ネットワークデバイスは、複数のキャリアにおいて複数のリソースセットに対応するフィードバック応答情報を関連付け、関連付けされたフィードバック応答情報をネットワークデバイスに送信しても良い。
【００６１】
２２０において、ネットワークデバイスが第１の時間ユニットにおいてフィードバック情報を受信する。
【００６２】
そして、本願の実施例において、端末デバイスが送信したフィードバック情報は、複数のリソースユニットで繰り返し伝送する下りチャネルのフィードバック応答情報を含み、５Ｇシステムにおいて繰り返し伝送する下りチャネルのフィードバック応答を実現する。
【００６３】
任意選択で、該目標リソースセットは、上位層パラメータにより決定する。
【００６４】
具体的に、ネットワークデバイスは、上位層パラメータを介して端末に該目標リソースセットを構成することができる。これにより、端末は該上位層パラメータに基づいて、該目標リソースセットを決定することができる。
【００６５】
任意選択で、該目標リソースセット内の各リソースユニットは、該下りチャネルを伝送するように構成される。
【００６６】
なお、各リソースユニットは、下りチャネルを伝送するように構成され得るが、それは、このリソースセットが下りチャネルを伝送する必要があることを意味せず、リソースユニットが下りチャネルの伝送をサポートすることのみを意味する。
【００６７】
任意選択で、本願の実施例では、リソースユニットが下りチャンネルを伝送する場合、１つのリソースユニット内で１つ又は複数の符号化ブロックが伝送されてもよく、或いは、１つのリソースユニット内で１つ又は複数の伝送ブロックが伝送されてもよい。
【００６８】
任意選択で、本願の実施例では第１の下りチャネルが複数のリソースユニットで繰り返し送信されることは、複数のリソースユニット間で伝送される情報が同一であることを意味する。
【００６９】
任意選択で、該端末デバイスが第１の時間ユニットにおいてフィードバック情報を送信する前に、該フィードバック情報のビット数を決定する。
【００７０】
任意選択で、該ネットワークデバイスが第１の時間ユニットにおいてフィードバック情報を受信する前に、該フィードバック情報のビット数を決定する。
【００７１】
任意選択で、該フィードバック情報のビット数は、目標リソースセット内のリソースユニット数に関連し、即ち、該フィードバック情報のビット数は、目標リソースセット内のリソースユニット数に基づいて決定する。
【００７２】
任意選択で、前記目標リソースセット内の各リソースユニットが前記フィードバック情報においてビットグループに対応する。
【００７３】
任意選択で、リソースユニットに対応するビットグループは、位置占用情報を搬送することができる。
【００７４】
例えば、１つのリソースユニット上に下りチャネル送信がない場合、又は、そのリソースユニットが送信する下りチャネルに対応するフィードバック応答情報が、既に他のリソースユニット(その下りチャネルを繰り返し送信する)に対応するビットグループ上に搬送される場合、そのリソースユニットに対応するビットグループは、位置占用情報を搬送することができる。
【００７５】
以下、本願の理解を容易にするために、フィードバック情報のビット数の決定方法、及び対応するフィードバック応答情報の搬送方法について説明する。
【００７６】
実施形態Ａ
該フィードバック情報のビット数は、該目標リソースセット内のリソースユニット数に等しい。
【００７７】
任意選択で、該第１の下りチャネルに対応するフィードバック応答情報が該フィードバック情報においてＬ個のビットグループを占用し、ここで、該第１の下りチャネルがＬ個のリソースユニットを占用して繰り返し伝送し、ここで、該ビットグループに含まれるビット数は１に等しい。
【００７８】
つまり、Ｌ個のリソースユニットの各リソースユニットに伝送される下りチャネルに対して、フィードバック応答情報をともに送信する。
【００７９】
任意選択で、ビットグループに含まれるビット数が１であることは、１つのリソースユニット内で１つの符号化ブロックグループ又は伝送ブロックを有するＰＤＳＣＨが送信されることを意味することができる。
【００８０】
ここで、該Ｌ個のビットグループの該フィードバック情報に含まれるビットグループ内の順序付けは、該Ｌ個のリソースユニットの該目標リソースセット内の順序付けに等しい。
【００８１】
任意選択で、Ｌ個のリソースユニットが連続のＬ個のリソースユニットであっても良く、この時、Ｌ個のヒットのフィードバック応答情報は、連続のＬ個のヒットを占用しても良い。
【００８２】
任意選択で、該Ｌ個のビットグループに含まれる情報は同じである。
【００８３】
任意選択で、この目標リソースセットにおいて下りチャネルが送信されないリソースユニットに対応するフィードバック情報は、位置占用情報であってもよく、例えば０であってもよい。
【００８４】
例えば、図３に示すように、スロット（ｓｌｏｔ）ｎ＋８に対応するリソースセットは、時間領域でｓｌｏｔ ｎ 〜 ｎ ＋ ７であり、ｓｌｏｔ ｎ ＋ １，ｎ ＋ ２およびｎ ＋ ３がＰＤＳＣＨ１を繰り返し伝送し、ｓｌｏｔ ｎ ＋ ４，ｎ ＋ ５およびｎ ＋ ６がＰＤＳＣＨ２を繰り返し伝送する。端末は、ｓｌｏｔ ｎ＋８で伝送するフィードバック情報のシーケンス長を８と決定する。端末は、{０、ｂ１、ｂ１、ｂ１、ｂ２、ｂ２、ｂ２、０}というフィードバック情報を生成し、ここで、ｂｉがＰＤＳＣＨｉに対するＡＣＫ／ＮＡＣＫ情報であり、「０」が位置占用情報である。
【００８５】
任意選択で、該第１の下りチャネルがＬ個のリソースユニットを占用して繰り返し伝送し、該第１の下りチャネルに対応するフィードバック応答情報が該フィードバック情報において１個のビットグループを占用し、ここで、該ビットグループに含まれるビット数は１である。
【００８６】
具体的に、Ｌ個のリソースユニットが第１の下りチャネルを繰り返し伝送するため、１回のフィードバック応答情報を伝送する。
【００８７】
任意選択で、該１個のビットグループの該フィードバック情報に含まれるビットグループ内の順序付けは、該Ｌ個のリソースユニットのうちの１つのリソースユニットの該目標リソースセット内の順序付けに等しい。ここで、該１つのリソースユニットは、Ｌ個のリソースユニット内の任意のリソースユニットであっても良く、１番目のリソースユニットであっても良いし、最後のリソースユニットであっても良い。
【００８８】
例えば、図３に示されるように、ｓｌｏｔ ｎ ＋ ８に対応するリソースセットは、時間領域においてｓｌｏｔ ｎ 〜 ｎ ＋ ７であり、ｓｌｏｔ ｎ ＋ １、ｎ ＋ ２およびｎ ＋ ３がＰＤＳＣＨ１を繰り返し伝送し、ｓｌｏｔ ｎ ＋ ４、ｎ ＋ ５およびｎ ＋ ６がＰＤＳＣＨ２を繰り返し伝送する。端末は、ｓｌｏｔ ｎ＋８で伝送するフィードバック情報のシーケンス長を８と決定する。端末は、{０、０、０、ｂ１、０、０、ｂ２、０}というフィードバック情報を生成し、ここで、ｂｉがＰＤＳＣＨｉに対応するＡＣＫ／ＮＡＣＫ情報であり、「０」が位置占用情報である。
【００８９】
実施形態Ｂ
該端末は、該フィードバック情報のビット数が該目標リソースセット内のリソースユニット数と第１のパラメータとの積に等しいと決定する。
【００９０】
任意選択で、該第１の下りチャネルに対応するフィードバック応答情報が該フィードバック情報においてＬ個のビットグループを占用し、該第１の下りチャネルがＬ個のリソースユニットを占用して繰り返し伝送し、ここで、該ビットグループに含まれるビット数は、第１のパラメータの値に等しい。
【００９１】
例えば、各リソースユニットが複数の符号化ブロックグループ又は複数の伝送ブロックを伝送することができる場合、複数の符号化ブロックグループ又は複数の伝送ブロックのフィードバック応答情報を送信する必要がある。各ビットグループは符号化ブロックグループ又は伝送ブロック数と同じビット数を搬送できる。
【００９２】
任意選択で、該Ｌ個のビットグループに含まれる情報が同じであり、例えば、各ビットグループが複数の符号化ブロックグループ又は複数の伝送ブロックのフィードバック応答情報を含む。
【００９３】
該Ｌ個のビットグループの該フィードバック情報に含まれるビットグループ内の順序付けは、該Ｌ個のリソースユニットの該目標リソースセット内の順序付けに等しい。
【００９４】
任意選択で、該第１の下りチャネルがＬ個のリソースユニットを占用して繰り返し伝送し、該第１の下りチャネルに対応するフィードバック応答情報が該フィードバック情報において１個のビットグループを占用し、ここで、該ビットグループに含まれるビット数は、第１のパラメータの値に等しい。
【００９５】
具体的に、Ｌ個のリソースユニットが第１の下りチャネルを繰り返し伝送するため、１回のフィードバック応答情報を伝送する。
【００９６】
ここで、該１個のビットグループの該フィードバック情報に含まれるビットグループ内の順序付けは、該Ｌ個のリソースユニットのうちの１個のリソースユニットの該目標リソースセット内の順序付けに等しい。ここで、該１個のリソースユニットは、Ｌ個のリソースユニットのうちの任意のリソースユニットであっても良く、１番目のリソースユニットであっても良いし、最後のリソースユニットであっても良い。
【００９７】
実施形態Ｃ
該端末は、該フィードバック情報のビット数が該目標リソースセット内のリソースユニット数がＬで割って切り上げ又は切り捨てたものに等しいと決定し、ここで、該端末が受信した各下りチャネルがＬ個のリソースユニットを占用して繰り返し伝送する。
【００９８】
任意選択で、該第１の下りチャネルに対応するフィードバック応答情報が該フィードバック情報において１個のビットグループを占用し、該ビットグループに含まれるビット数が１である。
【００９９】
任意選択で、ビットグループに含まれるビット数が１であることは、１つのリソースユニットにおいて１つの符号化ブロックグループ又は伝送ブロックを有するＰＤＳＣＨを伝送することを意味する。
【０１００】
任意選択で、該１個のビットグループの該フィードバック情報に含まれるビットグループ内の順序付けは、
ＰをＬが切り上げたもので割ったものに等しく、ここで、該Ｐが該第１の下りチャネルが占用する最後のリソースユニットの該目標リソースセット内の番号に等しく、Ｐが正の整数である。
【０１０１】
任意選択で、該１個のビットグループの該フィードバック情報に含まれるビットグループ内の順序付けは、
ＫをＬが切り捨てたもので割ったものに等しく、ここで、該Ｋが該第１の下りチャネルが占用する１番のリソースユニットの該目標リソースセット内に番号に等しく、Ｋが正の整数である。
【０１０２】
任意選択で、端末は、フィードバックスロットとスロットアグリゲーション長( ＰＤＳＣＨを繰り返し送信するスロット数)とから、フィードバック情報シーケンスビット長を決定する。図４および図５に示すように、ｓｌｏｔ ｎ ＋ ８に対応する時間ユニットセットはｓｌｏｔ ｎ 〜 ｎ ＋ ７であり、スロットアグリゲーション長は３であり、上位層シグナリングで構成される。端末はｓｌｏｔ ｎ＋８で伝送する
2021517381.tif 000003
と決定する。目標ＰＤＳＣＨの開始ｓｌｏｔ番号が
2021517381.tif 000004
であり、目標ＰＤＳＣＨのフィードバック応答情報は、フィードバック情報シーケンス中のインデックスが、
2021517381.tif 000005
(リソースセット中の最初のスロット)との間で利用可能なスロット数をスロットアグリゲーション長で割った後に整数化される。図４に示す場合については生成されるフィードバック情報シーケンスは{ ｂ１，０ }であり、図５に示す場合については生成されるフィードバック情報シーケンスは{ ０，ｂ１ }である。
【０１０３】
実施形態Ｄ
該端末は、該フィードバック情報のビット数が該目標リソースセット内のリソースユニット数と第１のパラメータと積をＬで割って切り上げ又は切り捨てたものに等しいと決定し、ここで、該端末が受信する各下りチャネルがＬ個のリソースユニットを占用して繰り返し伝送する。
【０１０４】
任意選択で、該第１の下りチャネルに対応するフィードバック応答情報が該フィードバック情報において１個のビットグループを占用し、該ビットグループに含まれるビット数が該第１のパラメータの値である。
【０１０５】
例えば、各リソースユニットが複数の符号化ブロックグループ又は複数の伝送ブロックを伝送する場合、複数の符号化ブロックグループ又は複数の伝送ブロックのフィードバック応答情報を送信する必要がある。各ビットグループは、符号化ブロックグループ又は伝送ブロック数と同じビット数を搬送することができる。
【０１０６】
任意選択で、該１個のビットグループの該フィードバック情報に含まれるビットグループ内の順序付けは、
ＫをＬが切り捨てたもので割ったものに等しく、ここで、該Ｋが該第１の下りチャネルが占用する１番のリソースユニットの該目標リソースセット内の番号に等しく、Ｋが正の整数であり。
【０１０７】
又は、ＰをＬが切り上げたもので割ったものに等しく、ここで、該Ｐが該第１の下りチャネルが占用する最後のリソースユニットの該目標リソースセット内の番号に等しく、Ｐが正の整数である。
【０１０８】
任意選択で、本願の実施例において、上述の第１のパラメータは、第１のパラメータによってネットワークによって構成されてもよく、又は、第１のパラメータは、送信ブロックの最大数であり、又は、第１のパラメータは、符号化ブロックグループの最大数である。
【０１０９】
任意選択で、５Ｇ ( ＮＲ、ｎｅｗ ｒａｄｉｏ )システムでは、フィードバック応答情報フィードバックタイミング(ハイブリッド自動再送要求( Ｈｙｂｒｉｄ Ａｕｔｏｍａｔｉｃ Ｒｅｐｅａｔ ｒｅＱｕｅｓｔ、ＨＡＲＱ )タイミング)がＰＤＳＣＨのために動的にサポートされる。すなわち、端末は、予め設定されたタイミングセットを決定し、そのセット内に８つの値、例えば、{ Ｋ１０，Ｋ１１，Ｋ１２，Ｋ１３，Ｋ１４，Ｋ１５，Ｋ１６，Ｋ１７ }を含めることができる。下り制御情報( Ｄｏｗｎｌｉｎｋ Ｃｏｎｔｒｏｌ Ｉｎｆｏｒｍａｔｉｏｎ、ＤＣＩ )が、スロットｎにおいてＰＤＳＣＨを伝送することを指示するとともに、該ＤＣＩ内に３ビットの目標情報フィールドが該タイミングセット中の１つの値Ｋ１ｉを指示するために含まれていれば、端末はｓｌｏｔ ｎ ＋ Ｋ１ｉ内に該ＰＤＳＣＨに対応する肯定確認( Ａｃｋｎｏｗｌｅｄｇｅ、ＡＣＫ ) /否定確認( Ｎｏｎ−Ａｃｋｎｏｗｌｅｄｇｅ、ＮＡＣＫ )情報を送信する。
【０１１０】
図６は本願の実施例における端末３００のブロック図である。図６に示すように、該端末３００は送信ユニット３１０を含み、
送信ユニット３１０は、第１の時間ユニットにおいてフィードバック情報を送信するように構成され、
ここで、前記フィードバック情報が目標リソースセットに伝送される第１の下りチャネルに対応するフィードバック応答情報を含み、前記目標リソースセットに含まれるリソースユニットが同じキャリアに属し、前記第１の下りチャネルが前記目標リソースセット内の複数のリソースユニットを占用して繰り返し伝送する。
【０１１１】
任意選択で、前記目標リソースセットは、上位層パラメータによって決定される。
【０１１２】
任意選択で、前記目標リソースセット内の各リソースユニットは、下りチャネルを伝送するように構成される。
【０１１３】
図６に示すように、該端末３００は、さらに、処理ユニット３２０を含み、 
処理ユニット３２０は、前記フィードバック情報のビット数を決定するように構成される。
【０１１４】
任意選択で、前記フィードバック情報のビット数は、前記目標リソースセット内のリソースユニット数によって決定する。
【０１１５】
任意選択で、前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい。
【０１１６】
任意選択で、前記第１の下りチャネルがＬ個のリソースユニットを占用して繰り返し伝送し、前記第１の下りチャネルに対応するフィードバック応答情報は、前記フィードバック情報においてＬ個のビットグループを占用し、
ここで、前記ビットグループに含まれるビット数は、前記第１のパラメータの値又は１に等しい。
【０１１７】
任意選択で、前記Ｌ個のビットグループの情報は同じである。
【０１１８】
任意選択で、前記Ｌ個のビットグループの前記フィードバック情報に含まれるビットグループ内の順序付けは、前記Ｌ個のリソースユニットの前記目標リソースセット内の順序付けに等しい。
【０１１９】
任意選択で、前記第１の下りチャネルがＬ個のリソースユニットを占用して繰り返し伝送し、前記第１の下りチャネルに対応するフィードバック応答情報が前記フィードバック情報において１個のビットグループを占用し、
ここで、前記ビットグループに含まれるビット数は、前記第１のパラメータの値又は１に等しい。
【０１２０】
任意選択で、前記１個のビットグループの前記フィードバック情報に含まれるビットグループ内の順序付けは、前記Ｌ個のリソースユニットのうちの１個のリソースユニットの前記目標リソースセットの順序付けに等しい。
【０１２１】
任意選択で、前記フィードバック情報のビット数は、前記目標リソースセット内のリソースユニット数と第１のパラメータとの積をＬで割って切り上げ又は切り捨てたものであり、又は、
前記フィードバック情報のビット数は、前記目標リソースセット内のリソースユニット数をＬで割って切り上げ又は切り捨てたものであり、
ここで、前記端末が受信した各下りチャネルは、前記目標リソースセット内のＬ個のリソースユニットを占用して繰り返し伝送する。
【０１２２】
任意選択で、前記第１の下りチャネルに対応するフィードバック応答情報が前記フィードバック情報において１個のビットグループを占用し、
ここで、前記ビットグループに含まれるビット数は、前記第１のパラメータの値又は１である。
【０１２３】
任意選択で、前記１個のビットグループの前記フィードバック情報に含まれるビットグループ内の順序付けは、
ＫをＬが切り捨てたもので割ったものに等しく、ここで、前記Ｋは、前記第１の下りチャネルが占用する１番目のリソースユニットの前記目標リソースセット内の番号に等しく、Ｋが正の整数であり、又は、
ＰをＬが切り上げたもので割ったものに等しく、ここで、前記Ｐは、前記第１の下りチャネルが占用する最後のリソースユニットの前記目標リソースセットの番号に等しく、Ｐが正の整数である。
【０１２４】
任意選択で、前記第１のパラメータがネットワークにより構成され、又は、
前記第１のパラメータが伝送ブロックの最大数であり、又は、
前記第１のパラメータが符号化ブロックグループの最大数である。
【０１２５】
なお、該端末が方法２００において端末の操作を実行することができ、簡潔のために、ここで説明を省略する。
【０１２６】
図７は本願の実施例におけるネットワークデバイス４００のブロック図である。図７に示すように、該ネットワークデバイス４００は、受信ユニット４１０を含み、
受信ユニット４１０は、第１の時間ユニットにおいてフィードバック情報を受信するように構成され、
ここで、前記フィードバック情報が目標リソースセットに伝送される第１の下りチャネルに対応するフィードバック応答情報を含み、前記複数のリソースユニットが同じキャリアに属し、前記第１の下りチャネルが前記目標リソースセット内の複数のリソースユニットを占用して繰り返し伝送する。
【０１２７】
任意選択で、該ネットワークデバイス４００は、さらに、送信ユニット４２０を含み、
送信ユニット４２０は、端末デバイスが前記目標リソースセットを決定するための上位層パラメータを送信するように構成される。
【０１２８】
任意選択で、前記目標リソースセット内の各リソースユニットは、下りチャネルを伝送するように構成される。
【０１２９】
任意選択で、 前記目標リソースセット内のリソースユニット数が前記フィードバック情報のビット数に関連する。
【０１３０】
任意選択で、前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい。
【０１３１】
任意選択で、前記第１の下りチャネルがＬ個のリソースユニットを占用して繰り返し伝送し、前記第１の下りチャネルに対応するフィードバック応答情報は、前記フィードバック情報においてＬ個のビットグループを占用し、
ここで、前記ビットグループに含まれるビット数は、前記第１のパラメータの値又は１に等しい。
【０１３２】
任意選択で、前記Ｌ個のビットグループの情報は同じである。
【０１３３】
任意選択で、前記Ｌ個のビットグループの前記フィードバック情報に含まれるビットグループ内の順序付けは、前記Ｌ個のリソースユニットの前記目標リソースセット内の順序付けに等しい。
【０１３４】
任意選択で、前記第１の下りチャネルがＬ個のリソースユニットを占用して繰り返し伝送し、前記第１の下りチャネルに対応するフィードバック応答情報が前記フィードバック情報において１個のビットグループを占用し、
ここで、前記ビットグループに含まれるビット数は、前記第１のパラメータの値又は１に等しい。
【０１３５】
任意選択で、前記１個のビットグループの前記フィードバック情報に含まれるビットグループ内の順序付けは、前記Ｌ個のリソースユニットのうちの１個のリソースユニットの前記目標リソースセットの順序付けに等しい。
【０１３６】
任意選択で、前記フィードバック情報のビット数は、前記目標リソースセット内のリソースユニット数と第１のパラメータとの積をＬで割って切り上げ又は切り捨てたものであり、又は、
前記端末は、前記フィードバック情報のビット数が前記目標リソースセット内のリソースユニット数をＬで割って切り上げ又は切り捨てたものであると決定し、
ここで、各下りチャネルが前記目標リソースセット内のＬ個のリソースユニットを占用して繰り返し伝送する。
【０１３７】
任意選択で、前記第１の下りチャネルに対応するフィードバック応答情報が前記フィードバック情報において１個のビットグループを占用し、
ここで、前記ビットグループに含まれるビット数は、前記第１のパラメータの値又は１である。
【０１３８】
任意選択で、前記１個のビットグループの前記フィードバック情報に含まれるビットグループ内の順序付けは、
ＫをＬが切り捨てたもので割ったものに等しく、ここで、前記Ｋは、前記第１の下りチャネルが占用する１番目のリソースユニットの前記目標リソースセット内の番号に等しく、Ｋが正の整数であり、又は、
ＰをＬが切り上げたもので割ったものに等しく、ここで、前記Ｐは、前記第１の下りチャネルが占用する最後のリソースユニットの前記目標リソースセットの番号に等しく、Ｐが正の整数である。
【０１３９】
任意選択で、該ネットワークデバイス４００は、さらに、送信ユニット４２０を含み、
送信ユニット４２０は、前記端末デバイスに前記第１のパラメータを構成し、又は、
前記第１のパラメータが伝送ブロックの最大数であり、又は、
前記第１のパラメータが符号化ブロックグループの最大数である。
【０１４０】
なお、このネットワークデバイス４００は、方法２００におけるネットワークデバイス実装の動作を実施してもよく、簡潔にするために、ここでは説明を省略する。
【０１４１】
図８は、本実施例のシステムチップ８００の概略構成図である。図８のシステムチップ８００は、入力インターフェース８０１、出力インターフェース８０２、プロセッサ８０３、及びメモリ８０４を含み、これらは内部通信接続線を介して接続され、プロセッサ８０３は、メモリ８０４内のコードを実行するように構成される。
【０１４２】
任意選択で、コードが実行されると、プロセッサ８０３は、方法の実施形態においてネットワークデバイスによって実行される方法を実施する。簡潔にするために、ここでは説明を省略する。
【０１４３】
任意選択で、コードが実行されると、プロセッサ８０３は、方法の実施形態において端末によって実行される方法を実施する。簡潔にするために、ここでは説明を省略する。
【０１４４】
図９は、本発明の実施形態による通信装置９００の概略的なブロック図である。図９に示すように、通信装置９００は、プロセッサ９１０と、メモリ９２０とを有する。ここで、該メモリ９２０はプログラムコードを記憶してもよく、該プロセッサ９１０は該メモリ９２０に記憶されたプログラムコードを実行してもよい。
【０１４５】
任意選択で、図９に示すように、通信装置９００は、プロセッサ９１０が外部と通信するように制御することができる送受信機９３０を含んでもよい。
【０１４６】
任意選択で、プロセッサ９１０は、メモリ９２０に記憶されたプログラムコードを呼び出して、方法の実施形態におけるネットワークデバイスの対応する動作を実行してもよく、簡潔のためにここでは詳しい説明を省略する。
【０１４７】
任意選択で、プロセッサ９１０は、メモリ９２０に格納されたプログラムコードを呼び出して、方法の実施形態における端末の対応する動作を実行してもよく、簡潔のためにここでは詳しい説明を省略する。
【０１４８】
本願の実施形態のプロセッサは、信号の処理能力を有する集積回路チップであり得ることが理解される。実施において、上述した方法の実施形態のステップは、プロセッサ内のハードウェアの集積論理回路又はソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施形態に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施形態に関連して開示される方法のステップは、ハードウェアデコーディングプロセッサ実行として直接的に、又は、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、又は電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１４９】
なお、本発明の実施形態におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、又はフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されない。
【０１５０】
当業者は、本明細書に開示される実施形態に関連して説明される様々な例のユニットおよびアルゴリズムステップが、電子ハードウェア、又はコンピュータソフトウェアと電子ハードウェアとの組合せで実装され得ることを認識するであろう。これらの機能は、技術案の特定の適用例および設計制約に応じて、ハードウェア又はソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１５１】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【０１５２】
本明細書で提供されるいくつかの実施形態では、開示されるシステム、装置、および方法は、他の方法で実現されてもよいことが理解される。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示又は議論される相互間の結合又は直接的な結合又は通信接続は、何らかのインターフェース、デバイス又はユニットを介した間接的な結合又は通信接続であってもよく、電気的、機械的、又は他の形態であってもよい。
【０１５３】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０１５４】
また、本発明の各実施例における各機能部は、１つの処理部に集積されてもよいし、各部は、物理的に別個に存在してもよいし、２つ以上の部が１つの部に集積されてもよい。
【０１５５】
また、ソフトウェア的な機能単位で実現され、独立した製品として販売又は使用される場合には、コンピュータ読み取り可能な記録媒体に格納されてもよい。このような理解に基づいて、本発明の技術的解決策の本質又は従来技術に寄与する部分、又は本発明の技術的解決策の部分は、１つのコンピュータデバイス(パーソナルコンピュータ、サーバ、又はネットワークデバイスなどであり得る)に本発明の様々な実施形態に記載された方法のステップの全て又は一部を実行させるための複数の命令を含む１つの記憶媒体に記憶されたソフトウェア製品の形態で具現化され得る。なお、前記記憶媒体としては、U-ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１５６】
以上、本発明の具体的な実施形態を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021517381.tif 000006
【図２】
2021517381.tif 000007
【図３】
2021517381.tif 000008
【図４】
2021517381.tif 000009
【図５】
2021517381.tif 000010
【図６】
2021517381.tif 000011
【図７】
2021517381.tif 000012
【図８】
2021517381.tif 000013
【図９】
2021517381.tif 000014
【手続補正書】
【提出日】令和3年1月18日(2021.1.18)
【手続補正１】
【補正対象書類名】明細書
【補正対象項目名】全文
【補正方法】変更
【補正の内容】
【発明の詳細な説明】
【技術分野】
【０００１】
本願は、通信分野に関し、具体的に、無線通信方法及びデバイスに関する。
【背景技術】
【０００２】
ロングタームエボリューション(  Ｌｏｎｇ  Ｔｅｒｍ  Ｅｖｏｌｕｔｉｏｎ、ＬＴＥ  )システムでは、端末は、１つの下りチャネル(例えば、物理下り共有チャネル(  Ｐｈｙｓｉｃａｌ  Ｄｏｗｎｌｉｎｋ  Ｓｈａｒｅｄ  Ｃｈａｎｎｅｌ、ＰＤＳＣＨ  ）  )を受信した後、その１つの下りチャネルに対してフィードバック応答情報を送信することができる。
【０００３】
新しいラジオ(  Ｎｅｗ  Ｒａｄｉｏ、ＮＲ  )システムにおいて、下りチャネルのフィードバック応答情報をどのように伝送するかは、解決すべき課題である。
【発明の概要】
【０００４】
本発明は、５Ｇシステムにおいて繰り返し伝送する下りチャネルのフィードバック応答を実現する無線通信方法及びデバイスを提供する。
【０００５】
第１の態様は、無線通信方法を提供し、
端末がフィードバック情報を決定することと、
端末が第１の時間ユニットにおいてフィードバック情報を送信することと、を含み、
ここで、前記フィードバック情報が目標リソースセットに伝送される第１の下りチャネルに対応するフィードバック応答情報を含み、前記第１の下りチャネルが前記目標リソースセット内のＬ個のリソースユニットにおいて繰り返し伝送し、前記第１の下りチャネルに対応するフィードバック応答情報は、前記フィードバック情報において１個のビットグループを占用し、前記ビットグループに含まれるビット数は、前記第１のパラメータの値又は１に等しい。
【０００６】
第１の態様と結合し、第１の態様の可能な方式において、前記目標リソースセットは、上位層パラメータによって決定される。
【０００７】
第１の態様又は上記の実現可能な方式と結合し、第１の態様の他の実現可能な方式において、前記目標リソースセット内の各リソースユニットは、下りチャネルを伝送するように構成される。
【０００８】
第１の態様又は上記の実現可能な方式と結合し、第１の態様の他の実現可能な方式において、前記端末が第１の時間ユニットにおいてフィードバック情報を送信する前に、前記方法は、
前記端末が前記フィードバック情報のビット数を決定することを含む。
【０００９】
第１の態様又は上記の実現可能な方式と結合し、第１の態様の他の実現可能な方式において、前記フィードバック情報のビット数は、前記目標リソースセット内のリソースユニット数によって決定する。
【００１０】
第１の態様又は上記の実現可能な方式と結合し、第１の態様の他の実現可能な方式において、前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい。
【００１１】
第１の態様又は上記の実現可能な方式と結合し、第１の態様の他の実現可能な方式において、前記第１の下りチャネルがＬ個のリソースユニットを占用して繰り返し伝送し、前記第１の下りチャネルに対応するフィードバック応答情報は、前記フィードバック情報においてＬ個のビットグループを占用し、
ここで、前記ビットグループに含まれるビット数は、前記第１のパラメータの値又は１に等しい。
【００１２】
第１の態様又は上記の実現可能な方式と結合し、第１の態様の他の実現可能な方式において、前記Ｌ個のビットグループの情報は同じである。
【００１３】
第１の態様又は上記の実現可能な方式と結合し、第１の態様の他の実現可能な方式において、前記Ｌ個のビットグループの前記フィードバック情報に含まれるビットグループ内の順序付けは、前記Ｌ個のリソースユニットの前記目標リソースセット内の順序付けに等しい。
【００１４】
第１の態様又は上記の実現可能な方式と結合し、第１の態様の他の実現可能な方式において、前記第１の下りチャネルがＬ個のリソースユニットを占用して繰り返し伝送し、前記第１の下りチャネルに対応するフィードバック応答情報が前記フィードバック情報において１個のビットグループを占用し、
ここで、前記ビットグループに含まれるビット数は、前記第１のパラメータの値又は１に等しい。
【００１５】
第１の態様又は上記の実現可能な方式と結合し、第１の態様の他の実現可能な方式において、前記１個のビットグループの前記フィードバック情報に含まれるビットグループ内の順序付けは、前記Ｌ個のリソースユニットのうちの１個のリソースユニットの前記目標リソースセットの順序付けに等しい。
【００１６】
第１の態様又は上記の実現可能な方式と結合し、第１の態様の他の実現可能な方式において、前記フィードバック情報のビット数は、前記目標リソースセット内のリソースユニット数と第１のパラメータとの積をＬで割って切り上げ又は切り捨てたものであり、又は、
前記フィードバック情報のビット数は、前記目標リソースセット内のリソースユニット数をＬで割って切り上げ又は切り捨てたものであり、
ここで、前記端末が受信した各下りチャネルは、前記目標リソースセット内のＬ個のリソースユニットを占用して繰り返し伝送する。
【００１７】
第１の態様又は上記の実現可能な方式と結合し、第１の態様の他の実現可能な方式において、前記第１の下りチャネルに対応するフィードバック応答情報が前記フィードバック情報において１個のビットグループを占用し、
ここで、前記ビットグループに含まれるビット数は、前記第１のパラメータの値又は１である。
【００１８】
第１の態様又は上記の実現可能な方式と結合し、第１の態様の他の実現可能な方式において、前記１個のビットグループの前記フィードバック情報に含まれるビットグループ内の順序付けは、
ＫをＬが切り捨てたもので割ったものに等しく、又は、
ＰをＬが切り上げたもので割ったものに等しく、
ここで、前記Ｋは、前記第１の下りチャネルが占用する１番目のリソースユニットの前記目標リソースセット内の番号に等しく、Ｋが正の整数であり、
ここで、前記Ｐは、前記第１の下りチャネルが占用する最後のリソースユニットの前記目標リソースセットの番号に等しく、Ｐが正の整数である。
【００１９】
第１の態様又は上記の実現可能な方式と結合し、第１の態様の他の実現可能な方式において、前記第１のパラメータがネットワークにより構成され、又は、
前記第１のパラメータが伝送ブロックの最大数であり、又は、
前記第１のパラメータが符号化ブロックグループの最大数である。
【００２０】
第１の態様又は上記の実現可能な方式と結合し、第１の態様の他の実現可能な方式において、前記目標リソースセット内の各リソースユニットが前記フィードバック情報においてビットグループに対応する。
【００２１】
第２の態様は、無線通信方法を提供し、
ネットワークデバイスが第１の時間ユニットにおいてフィードバック情報を受信することを含み、
ここで、前記フィードバック情報が目標リソースセットに伝送される第１の下りチャネルに対応するフィードバック応答情報を含み、前記複数のリソースユニットが同じキャリアに属し、前記第１の下りチャネルが前記目標リソースセット内の複数のリソースユニットにおいて繰り返し伝送する。
【００２２】
第２の態様と結合し、第２の態様の実現可能な方式において、前記方法は、さらに、
前記ネットワークデバイスが端末デバイスが前記目標リソースセットを決定するための上位層パラメータを送信することを含む。
【００２３】
第２の態様又は上記の実現可能な方式と結合し、第２の態様の他の実現可能な方式において、前記目標リソースセット内の各リソースユニットは、下りチャネルを伝送するように構成される。
【００２４】
第２の態様又は上記の実現可能な方式と結合し、第２の態様の他の実現可能な方式において、前記目標リソースセット内のリソースユニット数が前記フィードバック情報のビット数に関連する。
【００２５】
第２の態様又は上記の実現可能な方式と結合し、第２の態様の他の実現可能な方式において、前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい。
【００２６】
第２の態様又は上記の実現可能な方式と結合し、第２の態様の他の実現可能な方式において、前記第１の下りチャネルがＬ個のリソースユニットを占用して繰り返し伝送し、前記第１の下りチャネルに対応するフィードバック応答情報は、前記フィードバック情報においてＬ個のビットグループを占用し、
ここで、前記ビットグループに含まれるビット数は、前記第１のパラメータの値又は１に等しい。
【００２７】
第２の態様又は上記の実現可能な方式と結合し、第２の態様の他の実現可能な方式において、前記Ｌ個のビットグループの情報は同じである。
【００２８】
第２の態様又は上記の実現可能な方式と結合し、第２の態様の他の実現可能な方式において、前記Ｌ個のビットグループの前記フィードバック情報に含まれるビットグループ内の順序付けは、前記Ｌ個のリソースユニットの前記目標リソースセット内の順序付けに等しい。
【００２９】
第２の態様又は上記の実現可能な方式と結合し、第２の態様の他の実現可能な方式において、前記第１の下りチャネルがＬ個のリソースユニットを占用して繰り返し伝送し、前記第１の下りチャネルに対応するフィードバック応答情報が前記フィードバック情報において１個のビットグループを占用し、
ここで、前記ビットグループに含まれるビット数は、前記第１のパラメータの値又は１に等しい。
【００３０】
第２の態様又は上記の実現可能な方式と結合し、第２の態様の他の実現可能な方式において、前記１個のビットグループの前記フィードバック情報に含まれるビットグループ内の順序付けは、前記Ｌ個のリソースユニットのうちの１個のリソースユニットの前記目標リソースセットの順序付けに等しい。
【００３１】
第２の態様又は上記の実現可能な方式と結合し、第２の態様の他の実現可能な方式において、前記フィードバック情報のビット数は、前記目標リソースセット内のリソースユニット数と第１のパラメータとの積をＬで割って切り上げ又は切り捨てたものであり、又は、
前記端末は、前記フィードバック情報のビット数が前記目標リソースセット内のリソースユニット数をＬで割って切り上げ又は切り捨てたものであると決定し、
ここで、各下りチャネルが前記目標リソースセット内のＬ個のリソースユニットを占用して繰り返し伝送する。
【００３２】
第２の態様又は上記の実現可能な方式と結合し、第２の態様の他の実現可能な方式において、前記第１の下りチャネルに対応するフィードバック応答情報が前記フィードバック情報において１個のビットグループを占用し、
ここで、前記ビットグループに含まれるビット数は、前記第１のパラメータの値又は１である。
【００３３】
第２の態様又は上記の実現可能な方式と結合し、第２の態様の他の実現可能な方式において、前記１個のビットグループの前記フィードバック情報に含まれるビットグループ内の順序付けは、
ＫをＬが切り捨てたもので割ったものに等しい、ここで、前記Ｋは、前記第１の下りチャネルが占用する１番目のリソースユニットの前記目標リソースセット内の番号に等しく、Ｋが正の整数であり、又は、
ＰをＬが切り上げたもので割ったものに等しく、ここで、前記Ｐは、前記第１の下りチャネルが占用する最後のリソースユニットの前記目標リソースセットの番号に等しく、Ｐが正の整数である。
【００３４】
第２の態様又は上記の実現可能な方式と結合し、第２の態様の他の実現可能な方式において、前記方法は、さらに、  
前記端末デバイスに前記第１のパラメータを構成し、又は、
前記第１のパラメータが伝送ブロックの最大数であり、又は、
前記第１のパラメータが符号化ブロックグループの最大数であることを含む。
【００３５】
第２の態様又は上記の実現可能な方式と結合し、第２の態様の他の実現可能な方式において、前記目標リソースセット内の各リソースユニットが前記フィードバック情報においてビットグループに対応する。
【００３６】
第３の態様は、上記の第１の態様又は第１の態様の任意の可能な実装における方法を実行するように構成された端末を提供する。具体的には、端末は、上記の第１の態様又は第１の態様の任意の可能な実装形態における方法を実行するように構成された機能モジュールを含む。
【００３７】
第４の態様は、上記の第２の態様又は第２の態様の任意の可能な実装における方法を実行するように構成されたネットワークデバイスを提供する。具体的には、ネットワークデバイスは、上記の第２の態様又は第２の態様の任意の可能な実装形態における方法を実行するように構成された機能モジュールを含む。
【００３８】
第５の態様は、プロセッサと、メモリと、送受信機とを含む端末を提供する。プロセッサ、メモリ、および送受信機は、内部接続経路を介して互いに通信し、制御信号および/又はデータ信号を通信し、端末は、上記の第１の態様又は第１の態様の可能な実装のいずれかの方法を実行する。  
第６の態様は、プロセッサと、メモリと、送受信機とを含むネットワークデバイスが提供される。プロセッサ、メモリ、および送受信機は、内部接続経路を介して互いに通信し、制御信号および/又はデータ信号を通信し、ネットワークデバイスに、上記の第２の態様又は第２の態様の可能な実装のいずれかにおける方法を実行させる。  
第７の態様は、上述の方法又は任意の可能な実装を実行するための命令を含むコンピュータプログラムを記憶するように構成されたコンピュータ可読媒体を提供する。
【００３９】
第８の態様は、命令を含むコンピュータプログラム製品を提供し、コンピュータプログラム製品は、コンピュータ上で実行されると、コンピュータに、上述の方法又は任意の可能な実装の方法を実行させる。
【００４０】
このように、本願の実施例では、端末デバイスが送信するフィードバック情報は、複数のリソースユニットで繰り返し伝送される下りチャネルのフィードバック応答情報を含むことができ、５Ｇシステムで繰り返し伝送される下りチャネルのフィードバック応答を実現することができる。
【図面の簡単な説明】
【００４１】
本発明の実施例の技術案をより明確に説明するために、実施例又は従来技術の説明に必要な図面を簡単に説明すると、以下の説明における図面は本発明の実施例に過ぎず、当業者であれば、創造的な労力を要することなく、これらの図面に基づいて他の図面を得ることができることは明らかである。
【図１】本願の実施例における無線通信システムの模式図である。
【図２】本願の実施例における無線通信方法のフローチャートである。
【図３】本願の実施例における目標リソースセットにＰＤＳＣＨが搬送される模式図である。
【図４】本願の実施例における目標リソースセットにＰＤＳＣＨが搬送される模式図である。
【図５】本願の実施例における目標リソースセットにＰＤＳＣＨが搬送される模式図である。
【図６】本願の実施例における端末のブロック図である。
【図７】本願の実施例におけるネットワークデバイスのブロック図である。
【図８】本願の実施例におけるシステムチップのブロック図である。
【図９】本願の実施例における通信デバイスのブロック図である。
【発明を実施するための形態】
【００４２】
以下、本発明の実施の形態について図面を参照して説明するが、本発明は、この実施の形態に限定されるものではなく、本発明の技術的思想に基づく各種の変形が可能である。本出願における実施形態に基づいて、当業者が創造的な労働をすることなく得られる全ての他の実施形態は、本願の保護範囲に属する。
【００４３】
本願の実施例の技術は、様々な通信システムに適用可能であり、例えば、Ｇｌｏｂａｌ  Ｓｙｓｔｅｍ  ｏｆ  Ｍｏｂｉｌｅ  Ｃｏｍｍｕｎｉｃａｔｉｏｎ  (  ＧＳＭ  )システム、Ｃｏｄｅ  Ｄｉｖｉｓｉｏｎ  Ｍｕｌｔｉｐｌｅ  Ａｃｃｅｓｓ  (  ＣＤＭＡ  )システム、Ｗｉｄｅｂａｎｄ  Ｃｏｄｅ  Ｄｉｖｉｓｉｏｎ  Ｍｕｌｔｉｐｌｅ  Ａｃｃｅｓｓ  (  ＷＣＤＭＡ  )システム、Ｇｅｎｅｒａｌ  Ｐａｃｋｅｔ  Ｒａｄｉｏ  Ｓｅｒｖｉｃｅ  (  ＧＰＲＳ  )システム、Ｌｏｎｇ  Ｔｅｒｍ  Ｅｖｏｌｕｔｉｏｎ  (  ＬＴＥ  )システム、Ｆｒｅｑｕｅｎｃｙ  Ｄｉｖｉｓｉｏｎ  Ｄｕｐｌｅｘ  （  ＦＤＤ  )システム、Ｔｉｍｅ  Ｄｉｖｉｓｉｏｎ  Ｄｕｐｌｅｘ  (  ＴＤＤ  )システム、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  (  ＵＭＴＳ  )、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ  (  ＷｉＭＡＸ  )システム、将来の５Ｇシステム等の移動通信システム等に適用することができる。
【００４４】
図１は、本願の実施例が適用される無線通信システム１００を示す。この無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＧＳＭシステム又はＣＤＭＡシステムにおける基地局(  Ｂａｓｅ  Ｔｒａｎｓｃｅｉｖｅｒ  Ｓｔａｔｉｏｎ、ＢＴＳ  )、ＷＣＤＭＡシステムにおける基地局(  ＮｏｄｅＢ、ＮＢ  )、ＬＴＥシステムにおける発展型基地局(  Ｅｖｏｌｕｔｉｏｎａｌ  Ｎｏｄｅ  Ｂ、ｅＮＢ、又はｅＮｏｄｅＢ  )、又はクラウド無線アクセスネットワーク(  Ｃｌｏｕｄ  Ｒａｄｉｏ  Ａｃｃｅｓｓ  Ｎｅｔｗｏｒｋ、ＣＲＡＮ  )における無線コントローラであってもよく、又は中継局、アクセスポイント、車載装置、ウェアラブル装置、将来の５Ｇネットワークにおけるネットワーク側装置、又は将来の公衆地上モバイルネットワーク(  Ｐｕｂｌｉｃ  Ｌａｎｄ  Ｍｏｂｉｌｅ  Ｎｅｔｗｏｒｋ、ＰＬＭＮ  )におけるネットワークデバイスなどであってもよい。
【００４５】
この無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器(  Ｕｓｅｒ  Ｅｑｕｉｐｍｅｎｔ、ＵＥ  )、ユーザ装置、ユーザ局、移動局、モバイル、リモート局、リモート端末、モバイル機器、ユーザ端末、無線通信機器、ユーザエージェント、又はユーザ装置を指し得る。アクセス端末は、セルラー電話、コードレス電話、セッション開始プロトコル(  Ｓｅｓｓｉｏｎ  Ｉｎｉｔｉａｔｉｏｎ  Ｐｒｏｔｏｃｏｌ、ＳＩＰ  )電話、ワイヤレスローカルループ(  Ｗｉｒｅｌｅｓｓ  Ｌｏｃａｌ  Ｌｏｏｐ、ＷＬＬ  )局、パーソナルデジタル処理(  Ｐｅｒｓｏｎａｌ  Ｄｉｇｉｔａｌ  Ａｓｓｉｓｔａｎｔ、ＰＤＡ  )、ワイヤレス通信機能を有するハンドヘルドデバイス、コンピューティングデバイス、又はワイヤレスモデムに接続された他の処理デバイス、車載デバイス、ウェアラブルデバイス、将来の５Ｇネットワークにおける端末デバイス、又は将来開発されるＰＬＭＮにおける端末デバイスなどであり得る。
【００４６】
任意選択で、端末デバイス１２０間の端末直接接続(  Ｄｅｖｉｃｅ  ｔｏ  Ｄｅｖｉｃｅ、Ｄ２Ｄ  )通信が行われてもよい。
【００４７】
任意選択で、５Ｇシステム又はネットワークは、新たなラジオ(  Ｎｅｗ  Ｒａｄｉｏ、ＮＲ  )システム又はネットワークと呼ばれることもある。
【００４８】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施形態は、これに限定されない。
【００４９】
任意選択で、無線通信システム１００は、ネットワークコントローラ、モビリティ管理エンティティなどの他のネットワークエンティティをさらに含むことができ、本願の実施例はこれに限定されない。
【００５０】
なお、本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「又は」の関係であることを一般的に示す。
【００５１】
図２は、本発明の実施例における無線通信方法２００の概略的なフローチャートである。方法２００は、任意選択で、図１に示されるシステムに適用され得るが、これに限定されない。図２に示されるように、方法２００は、以下の少なくとも一部を含む。
【００５２】
２１０において、端末デバイスが第１の時間ユニットにおいてフィードバック情報を送信する。
【００５３】
ここで、該フィードバック情報は、目標リソースセットに伝送される第１の下りチャネルに対応するフィードバック応答情報を含み、該目標リソースセットのリソースユニットが同じキャリアに属し、該第１の下りチャネルが複数のリソースユニットにおいて繰り返し伝送する。
【００５４】
任意選択で、該第１の時間ユニットは、タイムスロット、ミニタイムスロット、又はシンボルなどであっても良い。
【００５５】
任意選択で、時間領域において該目標リソースセット内のリソースユニットによって占有されるリソースサイズは、同じであってもよい。
【００５６】
任意選択で、該目標リソースセットの各リソースユニットは、時間領域において１つ又は複数のスロット、又は１つのスロット内の１つ又は複数のシンボルを占有しても良い。
【００５７】
任意選択で、該目標リソースセットは、複数の下りチャネルを伝送することができ、各下りチャネルは、少なくとも１つのリソースユニットを占有し得る。ここで、該複数の下りチャネルが占用するリソースユニットの数は異なってもよい。
【００５８】
目標リソースセットに複数の下りチャネルが伝送される場合、該フィードバック情報は、複数の下りチャネルのフィードバック情報を搬送することができる。
【００５９】
任意選択で、NRシステムにおいてＡＣＫ／ＮＡＣＫ多重伝送がサポートされ、すなわち、複数のＰＤＳＣＨに対応するＡＣＫ／ＮＡＣＫ情報が１つのＰＵＣＣＨで伝送される。ＡＣＫ／ＮＡＣＫ多重伝送では、さらに、半静的にＡＣＫ／ＮＡＣＫビット数を決定する(  ｓｅｍｉ−ｓｔａｔｉｃ  ＨＡＲＱ−ＡＣＫ  ｃｏｄｅｂｏｏｋ  )と、動的にＡＣＫ／ＮＡＣＫビット数を決定する(  ｄｙｎａｍｉｃ  ＨＡＲＱ−ＡＣＫ  ｃｏｄｅｂｏｏｋ  )という２種類のＡＣＫ／ＮＡＣＫ情報生成方式がサポートされる。端末は、ＡＣＫ／ＮＡＣＫビット数を半静的に決定するように構成される場合、サポートされる事前構成セットの最大値及び最小値に基づいてＡＣＫ／ＮＡＣＫビット数を決定する。例えば、シングルキャリア、シングルコードワード伝送の場合、事前構成セットが{  １，２，３，４，５，６，７，８  }である場合、ＡＣＫ／ＮＡＣＫビット数は８-１  ＝  ８ビットである。
【００６０】
任意選択で、ネットワークデバイスは、複数のキャリアにおいて複数のリソースセットに対応するフィードバック応答情報を関連付け、関連付けされたフィードバック応答情報をネットワークデバイスに送信しても良い。
【００６１】
２２０において、ネットワークデバイスが第１の時間ユニットにおいてフィードバック情報を受信する。
【００６２】
そして、本願の実施例において、端末デバイスが送信したフィードバック情報は、複数のリソースユニットで繰り返し伝送する下りチャネルのフィードバック応答情報を含み、５Ｇシステムにおいて繰り返し伝送する下りチャネルのフィードバック応答を実現する。
【００６３】
任意選択で、該目標リソースセットは、上位層パラメータにより決定する。
【００６４】
具体的に、ネットワークデバイスは、上位層パラメータを介して端末に該目標リソースセットを構成することができる。これにより、端末は該上位層パラメータに基づいて、該目標リソースセットを決定することができる。
【００６５】
任意選択で、該目標リソースセット内の各リソースユニットは、該下りチャネルの候補伝送の機会である。
【００６６】
なお、各リソースユニットは、下りチャネルを伝送するように構成され得るが、それは、このリソースセットが下りチャネルを伝送する必要があることを意味せず、リソースユニットが下りチャネルの伝送をサポートすることのみを意味する。
【００６７】
任意選択で、本願の実施例では、リソースユニットが下りチャンネルを伝送する場合、１つのリソースユニット内で１つ又は複数の符号化ブロックが伝送されてもよく、或いは、１つのリソースユニット内で１つ又は複数の伝送ブロックが伝送されてもよい。
【００６８】
任意選択で、本願の実施例では第１の下りチャネルが複数のリソースユニットで繰り返し送信されることは、複数のリソースユニット間で伝送される情報が同一であることを意味する。
【００６９】
任意選択で、該端末デバイスが第１の時間ユニットにおいてフィードバック情報を送信する前に、該フィードバック情報のビット数を決定する。
【００７０】
任意選択で、該ネットワークデバイスが第１の時間ユニットにおいてフィードバック情報を受信する前に、該フィードバック情報のビット数を決定する。
【００７１】
任意選択で、該フィードバック情報のビット数は、目標リソースセット内のリソースユニット数に関連し、即ち、該フィードバック情報のビット数は、目標リソースセット内のリソースユニット数に基づいて決定する。
【００７２】
任意選択で、前記目標リソースセット内の各リソースユニットが前記フィードバック情報においてビットグループに対応する。
【００７３】
任意選択で、リソースユニットに対応するビットグループは、位置占用情報を搬送することができる。
【００７４】
例えば、１つのリソースユニット上に下りチャネル送信がない場合、又は、そのリソースユニットが送信する下りチャネルに対応するフィードバック応答情報が、既に他のリソースユニット(その下りチャネルを繰り返し送信する)に対応するビットグループ上に搬送される場合、そのリソースユニットに対応するビットグループは、位置占用情報を搬送することができる。
【００７５】
以下、本願の理解を容易にするために、フィードバック情報のビット数の決定方法、及び対応するフィードバック応答情報の搬送方法について説明する。
【００７６】
実施形態Ａ
該フィードバック情報のビット数は、該目標リソースセット内のリソースユニット数に等しい。
【００７７】
任意選択で、該第１の下りチャネルに対応するフィードバック応答情報が該フィードバック情報においてＬ個のビットグループを占用し、ここで、該第１の下りチャネルがＬ個のリソースユニットにおいて繰り返し伝送し、ここで、該ビットグループに含まれるビット数は１に等しい。
【００７８】
つまり、Ｌ個のリソースユニットの各リソースユニットに伝送される下りチャネルに対して、フィードバック応答情報をともに送信する。
【００７９】
任意選択で、ビットグループに含まれるビット数が１であることは、１つのリソースユニット内で１つの符号化ブロックグループ又は伝送ブロックを有するＰＤＳＣＨが送信されることを意味することができる。
【００８０】
ここで、該Ｌ個のビットグループの該フィードバック情報に含まれるビットグループ内の順序付けは、該Ｌ個のリソースユニットの該目標リソースセット内の順序付けに等しい。
【００８１】
任意選択で、Ｌ個のリソースユニットが連続のＬ個のリソースユニットであっても良く、この時、Ｌ個のヒットのフィードバック応答情報は、連続のＬ個のヒットを占用しても良い。
【００８２】
任意選択で、該Ｌ個のビットグループに含まれる情報は同じである。
【００８３】
任意選択で、この目標リソースセットにおいて下りチャネルが送信されないリソースユニットに対応するフィードバック情報は、位置占用情報であってもよく、例えば０であってもよい。
【００８４】
例えば、図３に示すように、スロット（ｓｌｏｔ）ｎ＋８に対応するリソースセットは、時間領域でｓｌｏｔ  ｎ  〜  ｎ  ＋  ７であり、ｓｌｏｔ  ｎ  ＋  １，ｎ  ＋  ２およびｎ  ＋  ３がＰＤＳＣＨ１を繰り返し伝送し、ｓｌｏｔ  ｎ  ＋  ４，ｎ  ＋  ５およびｎ  ＋  ６がＰＤＳＣＨ２を繰り返し伝送する。端末は、ｓｌｏｔ  ｎ＋８で伝送するフィードバック情報のシーケンス長を８と決定する。端末は、{０、ｂ１、ｂ１、ｂ１、ｂ２、ｂ２、ｂ２、０}というフィードバック情報を生成し、ここで、ｂｉがＰＤＳＣＨｉに対するＡＣＫ／ＮＡＣＫ情報であり、「０」が位置占用情報である。
【００８５】
任意選択で、該第１の下りチャネルがＬ個のリソースユニットにおいて繰り返し伝送し、該第１の下りチャネルに対応するフィードバック応答情報が該フィードバック情報において１個のビットグループを占用し、ここで、該ビットグループに含まれるビット数は１である。
【００８６】
具体的に、Ｌ個のリソースユニットが第１の下りチャネルを繰り返し伝送するため、１回のフィードバック応答情報を伝送する。
【００８７】
任意選択で、該１個のビットグループの該フィードバック情報に含まれるビットグループ内の順序付けは、該Ｌ個のリソースユニットのうちの１つのリソースユニットの該目標リソースセット内の順序付けに等しい。ここで、該１つのリソースユニットは、Ｌ個のリソースユニット内の任意のリソースユニットであっても良く、１番目のリソースユニットであっても良いし、最後のリソースユニットであっても良い。
【００８８】
例えば、図３に示されるように、ｓｌｏｔ  ｎ  ＋  ８に対応するリソースセットは、時間領域においてｓｌｏｔ  ｎ  〜  ｎ  ＋  ７であり、ｓｌｏｔ  ｎ  ＋  １、ｎ  ＋  ２およびｎ  ＋  ３がＰＤＳＣＨ１を繰り返し伝送し、ｓｌｏｔ  ｎ  ＋  ４、ｎ  ＋  ５およびｎ  ＋  ６がＰＤＳＣＨ２を繰り返し伝送する。端末は、ｓｌｏｔ  ｎ＋８で伝送するフィードバック情報のシーケンス長を８と決定する。端末は、{０、０、０、ｂ１、０、０、ｂ２、０}というフィードバック情報を生成し、ここで、ｂｉがＰＤＳＣＨｉに対応するＡＣＫ／ＮＡＣＫ情報であり、「０」が位置占用情報である。
【００８９】
実施形態Ｂ
該端末は、該フィードバック情報のビット数が該目標リソースセット内のリソースユニット数と第１のパラメータとの積に等しいと決定する。
【００９０】
任意選択で、該第１の下りチャネルに対応するフィードバック応答情報が該フィードバック情報においてＬ個のビットグループを占用し、該第１の下りチャネルがＬ個のリソースユニットにおいて繰り返し伝送し、ここで、該ビットグループに含まれるビット数は、第１のパラメータの値に等しい。
【００９１】
例えば、各リソースユニットが複数の符号化ブロックグループ又は複数の伝送ブロックを伝送することができる場合、複数の符号化ブロックグループ又は複数の伝送ブロックのフィードバック応答情報を送信する必要がある。各ビットグループは符号化ブロックグループ又は伝送ブロック数と同じビット数を搬送できる。
【００９２】
任意選択で、該Ｌ個のビットグループに含まれる情報が同じであり、例えば、各ビットグループが複数の符号化ブロックグループ又は複数の伝送ブロックのフィードバック応答情報を含む。
【００９３】
該Ｌ個のビットグループの該フィードバック情報に含まれるビットグループ内の順序付けは、該Ｌ個のリソースユニットの該目標リソースセット内の順序付けに等しい。
【００９４】
任意選択で、該第１の下りチャネルがＬ個のリソースユニットにおいて繰り返し伝送し、該第１の下りチャネルに対応するフィードバック応答情報が該フィードバック情報において１個のビットグループを占用し、ここで、該ビットグループに含まれるビット数は、第１のパラメータの値に等しい。
【００９５】
具体的に、Ｌ個のリソースユニットが第１の下りチャネルを繰り返し伝送するため、１回のフィードバック応答情報を伝送する。
【００９６】
ここで、該１個のビットグループの該フィードバック情報に含まれるビットグループ内の順序付けは、該Ｌ個のリソースユニットのうちの１個のリソースユニットの該目標リソースセット内の順序付けに等しい。ここで、該１個のリソースユニットは、Ｌ個のリソースユニットのうちの任意のリソースユニットであっても良く、１番目のリソースユニットであっても良いし、最後のリソースユニットであっても良い。
【００９７】
実施形態Ｃ
該端末は、該フィードバック情報のビット数が該目標リソースセット内のリソースユニット数がＬで割って切り上げ又は切り捨てたものに等しいと決定し、ここで、該端末が受信した各下りチャネルがＬ個のリソースユニットにおいて繰り返し伝送する。
【００９８】
任意選択で、該第１の下りチャネルに対応するフィードバック応答情報が該フィードバック情報において１個のビットグループを占用し、該ビットグループに含まれるビット数が１である。
【００９９】
任意選択で、ビットグループに含まれるビット数が１であることは、１つのリソースユニットにおいて１つの符号化ブロックグループ又は伝送ブロックを有するＰＤＳＣＨを伝送することを意味する。
【０１００】
任意選択で、該１個のビットグループの該フィードバック情報に含まれるビットグループ内の順序付けは、
ＰをＬが切り上げたもので割ったものに等しく、ここで、該Ｐが該第１の下りチャネルが占用する最後のリソースユニットの該目標リソースセット内の番号に等しく、Ｐが正の整数である。
【０１０１】
任意選択で、該１個のビットグループの該フィードバック情報に含まれるビットグループ内の順序付けは、
ＫをＬが切り捨てたもので割ったものに等しく、ここで、該Ｋが該第１の下りチャネルが占用する１番のリソースユニットの該目標リソースセット内に番号に等しく、Ｋが正の整数である。
【０１０２】
任意選択で、端末は、フィードバックスロットとスロットアグリゲーション長(  ＰＤＳＣＨを繰り返し送信するスロット数)とから、フィードバック情報シーケンスビット長を決定する。図４および図５に示すように、ｓｌｏｔ  ｎ  ＋  ８に対応する時間ユニットセットはｓｌｏｔ  ｎ  〜  ｎ  ＋  ７であり、スロットアグリゲーション長は３であり、上位層シグナリングで構成される。端末はｓｌｏｔ  ｎ＋８で伝送する
2021517381.tif 000015
と決定する。目標ＰＤＳＣＨの開始ｓｌｏｔ番号が
2021517381.tif 000016
であり、目標ＰＤＳＣＨのフィードバック応答情報は、フィードバック情報シーケンス中のインデックスが、
2021517381.tif 000017
(リソースセット中の最初のスロット)との間で利用可能なスロット数をスロットアグリゲーション長で割った後に整数化される。図４に示す場合については生成されるフィードバック情報シーケンスは{  ｂ１，０  }であり、図５に示す場合については生成されるフィードバック情報シーケンスは{  ０，ｂ１  }である。
【０１０３】
実施形態Ｄ
該端末は、該フィードバック情報のビット数が該目標リソースセット内のリソースユニット数と第１のパラメータと積をＬで割って切り上げ又は切り捨てたものに等しいと決定し、ここで、該端末が受信する各下りチャネルがＬ個のリソースユニットにおいて繰り返し伝送する。
【０１０４】
任意選択で、該第１の下りチャネルに対応するフィードバック応答情報が該フィードバック情報において１個のビットグループを占用し、該ビットグループに含まれるビット数が該第１のパラメータの値である。
【０１０５】
例えば、各リソースユニットが複数の符号化ブロックグループ又は複数の伝送ブロックを伝送する場合、複数の符号化ブロックグループ又は複数の伝送ブロックのフィードバック応答情報を送信する必要がある。各ビットグループは、符号化ブロックグループ又は伝送ブロック数と同じビット数を搬送することができる。
【０１０６】
任意選択で、該１個のビットグループの該フィードバック情報に含まれるビットグループ内の順序付けは、
ＫをＬが切り捨てたもので割ったものに等しく、ここで、該Ｋが該第１の下りチャネルが占用する１番のリソースユニットの該目標リソースセット内の番号に等しく、Ｋが正の整数であり。
【０１０７】
又は、ＰをＬが切り上げたもので割ったものに等しく、ここで、該Ｐが該第１の下りチャネルが占用する最後のリソースユニットの該目標リソースセット内の番号に等しく、Ｐが正の整数である。
【０１０８】
任意選択で、本願の実施例において、上述の第１のパラメータは、第１のパラメータによってネットワークによって構成されてもよく、又は、第１のパラメータは、送信ブロックの最大数であり、又は、第１のパラメータは、符号化ブロックグループの最大数である。
【０１０９】
任意選択で、５Ｇ  (  ＮＲ、ｎｅｗ  ｒａｄｉｏ  )システムでは、フィードバック応答情報フィードバックタイミング(ハイブリッド自動再送要求(  Ｈｙｂｒｉｄ  Ａｕｔｏｍａｔｉｃ  Ｒｅｐｅａｔ  ｒｅＱｕｅｓｔ、ＨＡＲＱ  )タイミング)がＰＤＳＣＨのために動的にサポートされる。すなわち、端末は、予め設定されたタイミングセットを決定し、そのセット内に８つの値、例えば、{  Ｋ１０，Ｋ１１，Ｋ１２，Ｋ１３，Ｋ１４，Ｋ１５，Ｋ１６，Ｋ１７  }を含めることができる。下り制御情報(  Ｄｏｗｎｌｉｎｋ  Ｃｏｎｔｒｏｌ  Ｉｎｆｏｒｍａｔｉｏｎ、ＤＣＩ  )が、スロットｎにおいてＰＤＳＣＨを伝送することを指示するとともに、該ＤＣＩ内に３ビットの目標情報フィールドが該タイミングセット中の１つの値Ｋ１ｉを指示するために含まれていれば、端末はｓｌｏｔ  ｎ  ＋  Ｋ１ｉ内に該ＰＤＳＣＨに対応する肯定確認(  Ａｃｋｎｏｗｌｅｄｇｅ、ＡＣＫ  )  /否定確認(  Ｎｏｎ−Ａｃｋｎｏｗｌｅｄｇｅ、ＮＡＣＫ  )情報を送信する。
【０１１０】
図６は本願の実施例における端末３００のブロック図である。図６に示すように、該端末３００は送信ユニット３１０を含み、
送信ユニット３１０は、第１の時間ユニットにおいてフィードバック情報を送信するように構成され、
ここで、前記フィードバック情報が目標リソースセットに伝送される第１の下りチャネルに対応するフィードバック応答情報を含み、前記目標リソースセットに含まれるリソースユニットが同じキャリアに属し、前記第１の下りチャネルが前記目標リソースセット内の複数のリソースユニットにおいて繰り返し伝送する。
【０１１１】
任意選択で、前記目標リソースセットは、上位層パラメータによって決定される。
【０１１２】
任意選択で、前記目標リソースセット内の各リソースユニットは、下りチャネルの候補伝送の機会である。
【０１１３】
図６に示すように、該端末３００は、さらに、処理ユニット３２０を含み、  
処理ユニット３２０は、前記フィードバック情報のビット数を決定するように構成される。
【０１１４】
任意選択で、前記フィードバック情報のビット数は、前記目標リソースセット内のリソースユニット数によって決定する。
【０１１５】
任意選択で、前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい。
【０１１６】
任意選択で、前記第１の下りチャネルがＬ個のリソースユニットにおいて繰り返し伝送し、前記第１の下りチャネルに対応するフィードバック応答情報は、前記フィードバック情報においてＬ個のビットグループを占用し、
ここで、前記ビットグループに含まれるビット数は、前記第１のパラメータの値又は１に等しい。
【０１１７】
任意選択で、前記Ｌ個のビットグループの情報は同じである。
【０１１８】
任意選択で、前記Ｌ個のビットグループの前記フィードバック情報に含まれるビットグループ内の順序付けは、前記Ｌ個のリソースユニットの前記目標リソースセット内の順序付けと同じである。
【０１１９】
任意選択で、前記第１の下りチャネルがＬ個のリソースユニットにおいて繰り返し伝送し、前記第１の下りチャネルに対応するフィードバック応答情報が前記フィードバック情報において１個のビットグループを占用し、
ここで、前記ビットグループに含まれるビット数は、前記第１のパラメータの値又は１に等しい。
【０１２０】
任意選択で、前記１個のビットグループの前記フィードバック情報に含まれるビットグループ内の順序付けは、前記Ｌ個のリソースユニットのうちの１個のリソースユニットの前記目標リソースセットの順序付けと同じである。
【０１２１】
任意選択で、前記フィードバック情報のビット数は、前記目標リソースセット内のリソースユニット数と第１のパラメータとの積をＬで割って切り上げ又は切り捨てたものであり、又は、
前記フィードバック情報のビット数は、前記目標リソースセット内のリソースユニット数をＬで割って切り上げ又は切り捨てたものであり、
ここで、前記端末が受信した各下りチャネルは、前記目標リソースセット内のＬ個のリソースユニットにおいて繰り返し伝送する。
【０１２２】
任意選択で、前記第１の下りチャネルに対応するフィードバック応答情報が前記フィードバック情報において１個のビットグループを占用し、
ここで、前記ビットグループに含まれるビット数は、前記第１のパラメータの値又は１である。
【０１２３】
任意選択で、前記１個のビットグループの前記フィードバック情報に含まれるビットグループ内の順序付けは、
ＫをＬが切り捨てたもので割ったものに等しく、ここで、前記Ｋは、前記第１の下りチャネルが占用する１番目のリソースユニットの前記目標リソースセット内の番号に等しく、Ｋが正の整数であり、又は、
ＰをＬが切り上げたもので割ったものに等しく、ここで、前記Ｐは、前記第１の下りチャネルが占用する最後のリソースユニットの前記目標リソースセットの番号に等しく、Ｐが正の整数である。
【０１２４】
任意選択で、前記第１のパラメータがネットワークにより構成され、又は、
前記第１のパラメータが伝送ブロックの最大数であり、又は、
前記第１のパラメータが符号化ブロックグループの最大数である。
【０１２５】
なお、該端末が方法２００において端末の操作を実行することができ、簡潔のために、ここで説明を省略する。
【０１２６】
図７は本願の実施例におけるネットワークデバイス４００のブロック図である。図７に示すように、該ネットワークデバイス４００は、受信ユニット４１０を含み、
受信ユニット４１０は、第１の時間ユニットにおいてフィードバック情報を受信するように構成され、
ここで、前記フィードバック情報が目標リソースセットに伝送される第１の下りチャネルに対応するフィードバック応答情報を含み、前記複数のリソースユニットが同じキャリアに属し、前記第１の下りチャネルが前記目標リソースセット内の複数のリソースユニットにおいて繰り返し伝送する。
【０１２７】
任意選択で、該ネットワークデバイス４００は、さらに、送信ユニット４２０を含み、
送信ユニット４２０は、端末デバイスが前記目標リソースセットを決定するための上位層パラメータを送信するように構成される。
【０１２８】
任意選択で、前記目標リソースセット内の各リソースユニットは、下りチャネルの候補伝送の機会である。
【０１２９】
任意選択で、  前記目標リソースセット内のリソースユニット数が前記フィードバック情報のビット数に関連する。
【０１３０】
任意選択で、前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい。
【０１３１】
任意選択で、前記第１の下りチャネルがＬ個のリソースユニットにおいて繰り返し伝送し、前記第１の下りチャネルに対応するフィードバック応答情報は、前記フィードバック情報においてＬ個のビットグループを占用し、
ここで、前記ビットグループに含まれるビット数は、前記第１のパラメータの値又は１に等しい。
【０１３２】
任意選択で、前記Ｌ個のビットグループの情報は同じである。
【０１３３】
任意選択で、前記Ｌ個のビットグループの前記フィードバック情報に含まれるビットグループ内の順序付けは、前記Ｌ個のリソースユニットの前記目標リソースセット内の順序付けと同じである。
【０１３４】
任意選択で、前記第１の下りチャネルがＬ個のリソースユニットにおいて繰り返し伝送し、前記第１の下りチャネルに対応するフィードバック応答情報が前記フィードバック情報において１個のビットグループを占用し、
ここで、前記ビットグループに含まれるビット数は、前記第１のパラメータの値又は１に等しい。
【０１３５】
任意選択で、前記１個のビットグループの前記フィードバック情報に含まれるビットグループ内の順序付けは、前記Ｌ個のリソースユニットのうちの１個のリソースユニットの前記目標リソースセットの順序付けと同じである。
【０１３６】
任意選択で、前記フィードバック情報のビット数は、前記目標リソースセット内のリソースユニット数と第１のパラメータとの積をＬで割って切り上げ又は切り捨てたものであり、又は、
前記端末は、前記フィードバック情報のビット数が前記目標リソースセット内のリソースユニット数をＬで割って切り上げ又は切り捨てたものであると決定し、
ここで、各下りチャネルが前記目標リソースセット内のＬ個のリソースユニットにおいて繰り返し伝送する。
【０１３７】
任意選択で、前記第１の下りチャネルに対応するフィードバック応答情報が前記フィードバック情報において１個のビットグループを占用し、
ここで、前記ビットグループに含まれるビット数は、前記第１のパラメータの値又は１である。
【０１３８】
任意選択で、前記１個のビットグループの前記フィードバック情報に含まれるビットグループ内の順序付けは、
ＫをＬが切り捨てたもので割ったものに等しく、ここで、前記Ｋは、前記第１の下りチャネルが占用する１番目のリソースユニットの前記目標リソースセット内の番号に等しく、Ｋが正の整数であり、又は、
ＰをＬが切り上げたもので割ったものに等しく、ここで、前記Ｐは、前記第１の下りチャネルが占用する最後のリソースユニットの前記目標リソースセットの番号に等しく、Ｐが正の整数である。
【０１３９】
任意選択で、該ネットワークデバイス４００は、さらに、送信ユニット４２０を含み、
送信ユニット４２０は、前記端末デバイスに前記第１のパラメータを構成し、又は、
前記第１のパラメータが伝送ブロックの最大数であり、又は、
前記第１のパラメータが符号化ブロックグループの最大数である。
【０１４０】
なお、このネットワークデバイス４００は、方法２００におけるネットワークデバイス実装の動作を実施してもよく、簡潔にするために、ここでは説明を省略する。
【０１４１】
図８は、本実施例のシステムチップ８００の概略構成図である。図８のシステムチップ８００は、入力インターフェース８０１、出力インターフェース８０２、プロセッサ８０３、及びメモリ８０４を含み、これらは内部通信接続線を介して接続され、プロセッサ８０３は、メモリ８０４内のコードを実行するように構成される。
【０１４２】
任意選択で、コードが実行されると、プロセッサ８０３は、方法の実施形態においてネットワークデバイスによって実行される方法を実施する。簡潔にするために、ここでは説明を省略する。
【０１４３】
任意選択で、コードが実行されると、プロセッサ８０３は、方法の実施形態において端末によって実行される方法を実施する。簡潔にするために、ここでは説明を省略する。
【０１４４】
図９は、本発明の実施形態による通信装置９００の概略的なブロック図である。図９に示すように、通信装置９００は、プロセッサ９１０と、メモリ９２０とを有する。ここで、該メモリ９２０はプログラムコードを記憶してもよく、該プロセッサ９１０は該メモリ９２０に記憶されたプログラムコードを実行してもよい。
【０１４５】
任意選択で、図９に示すように、通信装置９００は、プロセッサ９１０が外部と通信するように制御することができる送受信機９３０を含んでもよい。
【０１４６】
任意選択で、プロセッサ９１０は、メモリ９２０に記憶されたプログラムコードを呼び出して、方法の実施形態におけるネットワークデバイスの対応する動作を実行してもよく、簡潔のためにここでは詳しい説明を省略する。
【０１４７】
任意選択で、プロセッサ９１０は、メモリ９２０に格納されたプログラムコードを呼び出して、方法の実施形態における端末の対応する動作を実行してもよく、簡潔のためにここでは詳しい説明を省略する。
【０１４８】
本願の実施形態のプロセッサは、信号の処理能力を有する集積回路チップであり得ることが理解される。実施において、上述した方法の実施形態のステップは、プロセッサ内のハードウェアの集積論理回路又はソフトウェア形態の命令によって実行されてもよい。上記のプロセッサは、汎用プロセッサ、デジタル信号プロセッサ(  Ｄｉｇｉｔａｌ  Ｓｉｇｎａｌ  Ｐｒｏｃｅｓｓｏｒ、ＤＳＰ  )、特定用途向け集積回路(  Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ  )、既存のプログラマブルゲートアレイ(  Ｆｉｅｌｄ  Ｐｒｏｇｒａｍｍａｂｌｅ  Ｇａｔｅ  Ａｒｒａｙ、ＦＰＧＡ  )又は他のプログラマブル論理デバイス、ディスクリートゲート又はトランジスタロジック、ディスクリートハードウェアコンポーネントであってもよい。本出願の実施形態に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施形態に関連して開示される方法のステップは、ハードウェアデコーディングプロセッサ実行として直接的に、又は、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、又は電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１４９】
なお、本発明の実施形態におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ(  Ｒｅａｄ−Ｏｎｌｙ  Ｍｅｍｏｒｙ、ＲＯＭ  )、プログラマブルリードオンリーメモリ(  Ｐｒｏｇｒａｍｍａｂｌｅ  ＲＯＭ、ＰＲＯＭ  )、消去可能プログラマブルリードオンリーメモリ(  Ｅｒａｓａｂｌｅ  ＰＲＯＭ、ＥＰＲＯＭ  )、電気的消去可能プログラマブルリードオンリーメモリ(  Ｅｌｅｃｔｒｉｃａｌｌｙ  ＥＰＲＯＭ、ＥＥＰＲＯＭ  )、又はフラッシュメモリであってもよい。揮発性メモリは、外部キャッシュとして使用されるランダムアクセスメモリ(  Ｒａｎｄｏｍ  Ａｃｃｅｓｓ  Ｍｅｍｏｒｙ、ＲＡＭ  )であってよい。限定ではなく例として、ＲＡＭは、スタティックランダムアクセスメモリ(  Ｓｔａｔｉｃ  ＲＡＭ、ＳＲＡＭ  )、ダイナミックランダムアクセスメモリ(  Ｄｙｎａｍｉｃ  ＲＡＭ、ＤＲＡＭ  )、シンクロナスダイナミックランダムアクセスメモリ(  Ｓｙｎｃｈｒｏｎｏｕｓ  ＤＲＡＭ、ＳＤＲＡＭ  )、ダブルデータレートシンクロナスダイナミックランダムアクセスメモリ(  Ｄｏｕｂｌｅ  Ｄａｔａ  Ｒａｔｅ  ＳＤＲＡＭ、ＤＤＲ  ＳＤＲＡＭ  )、エンハンスメント型シンクロナスダイナミックランダムアクセスメモリ(  Ｅｎｈａｎｃｅｄ  ＳＤＲＡＭ、ＥＳＤＲＡＭ  )、シンクロナス接続ダイナミックランダムアクセスメモリ(  Ｓｙｎｃｈｌｉｎｋ  ＤＲＡＭ、ＳＬＤＲＡＭ  )、及びダイレクトメモリバスランダムアクセスメモリ(  Ｄｉｒｅｃｔ  Ｒａｍｂｕｓ  ＲＡＭ、ＤＲ  ＲＡＭ  )など、多くの形態で利用可能である。本明細書に記載のシステム及び方法のメモリは、これら及び任意の他の適切なタイプのメモリを含むことが意図されているが、これらに限定されない。
【０１５０】
当業者は、本明細書に開示される実施形態に関連して説明される様々な例のユニットおよびアルゴリズムステップが、電子ハードウェア、又はコンピュータソフトウェアと電子ハードウェアとの組合せで実装され得ることを認識するであろう。これらの機能は、技術案の特定の適用例および設計制約に応じて、ハードウェア又はソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１５１】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【０１５２】
本明細書で提供されるいくつかの実施形態では、開示されるシステム、装置、および方法は、他の方法で実現されてもよいことが理解される。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示又は議論される相互間の結合又は直接的な結合又は通信接続は、何らかのインターフェース、デバイス又はユニットを介した間接的な結合又は通信接続であってもよく、電気的、機械的、又は他の形態であってもよい。
【０１５３】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０１５４】
また、本発明の各実施例における各機能部は、１つの処理部に集積されてもよいし、各部は、物理的に別個に存在してもよいし、２つ以上の部が１つの部に集積されてもよい。
【０１５５】
また、ソフトウェア的な機能単位で実現され、独立した製品として販売又は使用される場合には、コンピュータ読み取り可能な記録媒体に格納されてもよい。このような理解に基づいて、本発明の技術的解決策の本質又は従来技術に寄与する部分、又は本発明の技術的解決策の部分は、１つのコンピュータデバイス(パーソナルコンピュータ、サーバ、又はネットワークデバイスなどであり得る)に本発明の様々な実施形態に記載された方法のステップの全て又は一部を実行させるための複数の命令を含む１つの記憶媒体に記憶されたソフトウェア製品の形態で具現化され得る。なお、前記記憶媒体としては、U-ディスク、リムーバブルハードディスク、Ｒｅａｄ−Ｏｎｌｙ  Ｍｅｍｏｒｙ、ＲＯＭ、ＲＡＭ、磁気ディスク、光ディスク等のプログラムコードを記憶できる種々の媒体を用いることができる。
【０１５６】
以上、本発明の具体的な実施形態を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【手続補正２】
【補正対象書類名】特許請求の範囲
【補正対象項目名】全文
【補正方法】変更
【補正の内容】
【特許請求の範囲】
【請求項１】
端末がフィードバック情報を決定することと、
端末が第１の時間ユニットにおいてフィードバック情報を送信することを含み、
前記フィードバック情報が目標リソースセットに伝送される第１の下りチャネルに対応するフィードバック応答情報を含み前記第１の下りチャネルが前記目標リソースセット内のＬ個のリソースユニットにおいて繰り返し伝送し、前記第１の下りチャネルに対応するフィードバック応答情報は、前記フィードバック情報において１個のビットグループを占用し、前記ビットグループに含まれるビット数は、第１のパラメータの値又は１に等しい
ことを特徴とする無線通信方法。
【請求項２】
前記端末が第１の時間ユニットにおいてフィードバック情報を送信する前に、前記方法は、
前記端末が前記目標リソースセット内のリソースユニット数によって前記フィードバック情報のビット数を決定することを含む
ことを特徴とする請求項１に記載の無線通信方法。
【請求項３】
前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい
ことを特徴とする請求項１又は２に記載の無線通信方法。
【請求項４】
前記フィードバック情報における１個のビットグループの順序付けは、前記Ｌ個のリソースユニットのうちの１個のリソースユニットの前記目標リソースセットの順序付けと同じである
ことを特徴とする請求項１〜３のいずれか１項に記載の無線通信方法。
【請求項５】
前記Ｌ個のリソースユニットのうちの１個のリソースユニットは、前記Ｌ個のリソースユニットの最後のリソースユニットである
ことを特徴とする請求項４に記載の無線通信方法。
【請求項６】
前記Ｌ個のリソースユニットは、連続するものである
ことを特徴とする請求項１〜５のいずれか１項に記載の無線通信方法。
【請求項７】
前記第１のパラメータが符号化ブロックグループの最大数である
ことを特徴とする請求項３に記載の無線通信方法。
【請求項８】
前記第１の時間ユニットは、タイムスロットである
ことを特徴とする請求項１〜７のいずれか１項に記載の無線通信方法。
【請求項９】
前記目標リソースセット内の各リソースユニットが１つのスロットを占用する
ことを特徴とする請求項１〜８のいずれか１項に記載の無線通信方法。
【請求項１０】
前記目標リソースセットは、上位層パラメータによって決定される
ことを特徴とする請求項１〜９のいずれか１項に記載の無線通信方法。
【請求項１１】
前記目標リソースセット内の各リソースユニットは、下りチャネルの候補伝送の機会である
ことを特徴とする請求項１〜１０のいずれか１項に記載の無線通信方法。
【請求項１２】
決定ユニットと送信ユニットを備える端末であって、
前記決定ユニットは、フィードバック情報を決定するように構成され、
前記送信ユニットは、第１の時間ユニットにおいてフィードバック情報を送信するように構成され、
前記フィードバック情報が目標リソースセットに伝送される第１の下りチャネルに対応するフィードバック応答情報を含み、前記第１の下りチャネルが前記目標リソースセット内のＬ個のリソースユニットにおいて繰り返し伝送し、前記第１の下りチャネルに対応するフィードバック応答情報は、前記フィードバック情報において１個のビットグループを占用し、前記ビットグループに含まれるビット数は、第１のパラメータの値又は１に等しい
ことを特徴とする端末。
【請求項１３】
処理ユニットをさらに含み、
前記処理ユニットは、前記目標リソースセット内のリソースユニット数によって前記フィードバック情報のビット数を決定するように構成される
ことを特徴とする請求項１２に記載の端末。
【請求項１４】
前記フィードバック情報のビット数は、前記目標リソースセット内のリソースユニット数と第１のパラメータとの積に等しく、又は、
前記フィードバック情報のビット数は、前記目標リソースセット内のリソースユニット数に等しい
ことを特徴とする請求項１２又は１３項に記載の端末。
【請求項１５】
前記フィードバック情報における１個のビットグループの順序付けは、前記Ｌ個のリソースユニットのうちの１個のリソースユニットの前記目標リソースセットの順序付けと同じである
ことを特徴とする請求項１２〜１４のいずれか１項に記載の端末。
【請求項１６】
前記Ｌ個のリソースユニットのうちの１個のリソースユニットは、前記Ｌ個のリソースユニットの最後のリソースユニットであり、
前記Ｌ個のリソースユニットは、連続するものである
ことを特徴とする請求項１５に記載の端末。
【請求項１７】
前記第１の時間ユニットは、スロットであり、
前記目標リソースセット内の各リソースユニットが１つのスロットを占用する
ことを特徴とする請求項１２〜１６のいずれか１項に記載の端末。
【請求項１８】
前記目標リソースセット内の各リソースユニットは、下りチャネルの候補伝送の機会である
ことを特徴とする請求項１２〜１７のいずれか１項に記載の端末。
【国際調査報告】
2021517381.tif 000018
2021517381.tif 000019
2021517381.tif 000020
2021517381.tif 000021